(57)【要約】      （修正有）【課題】鎌形掛金が引戸の端部から出没する戸先引戸錠に好適で、引戸や戸枠に特別な加工を要することなく、錠前本体と掛金を係脱する掛止受座を容易に取付けられ、メンテナンスが容易で、自動施錠機能と空錠切替機能を選択的に切り替え可能である引戸錠を提供する。【解決手段】戸枠と、戸枠に当接可能に配置した引戸と、引戸の室内側に設けた室内錠７を備え、戸枠に係合孔を形成した掛止受座を取付け、室内錠に、掛止受座に係脱可能な鎌形の掛金８と、引戸の開閉時に出没可能なトリガーと、引戸の開閉時に掛止受座に進退可能に設けられ、かつ掛金を出没可能に収容したデッドボルト７５とを備える。室内錠は自動施錠機能と空錠切替機能を備え、選択的に切り替え可能にする。自動施錠機能は引戸の施解錠を形成可能にし、引戸の施錠時に掛金を掛止受座に係合し、かつ係合状態を引戸の閉扉時に自動的に形成し維持可能にする。【選択図】図６
2018071236.tif 000002
【特許請求の範囲】
【請求項１】
戸枠と、該戸枠に当接可能に配置した引戸と、引戸の室内側に設けた室内錠を備え、前記戸枠に係合孔を形成した掛止受座を取付け、前記室内錠に、掛止受座に係脱可能な鎌形の掛金と、引戸の開閉時に出没可能なトリガーと、引戸の開閉時に前記掛止受座に進退可能に設けられ、かつ前記掛金を出没可能に収容したデッドボールトと、を備えた引戸錠において、前記室内錠は自動施錠機能と空錠切替機能を備え、これらの機能を選択的に切り替え可能にするとともに、自動施錠機能は引戸の施解錠を形成可能にし、引戸の施錠時に前記掛金を掛止受座に係合し、かつこの係合状態を引戸の閉扉時に自動的に形成し維持可能にしたことを特徴とする引戸錠。
【請求項２】
前記空錠切替機能は、トリガーとデッドボルトを前記室内錠に収容し、掛金と掛止受座との係合を不可能にし、引戸を自由に開閉可能にした請求項１記載の引戸錠。
【請求項３】
前記室内錠に解錠摘みを回動可能に設け、該解錠摘みにデッドロックカムを同動可能に設け、該デッドロックカムをデッドボルトの後退域に出没可能に設け、引戸の閉扉かつ施錠時に前記デッドロックカムをデッドボルトの後退域に係合可能に移動した請求項１記載の引戸錠。
【請求項４】
前記デッドロックカムの近接位置にデッドロックストッパーを回動可能に設け、前記解錠摘みを操作し室内錠を解錠する際、デッドロックストッパーをデッドロックカムの回動方向と反対方向へ回動可能に付勢し、該デッドロックストッパーを介しデッドロックカムの回動を規制し、該デッドロックカムをデッドボルトの後退域から後退可能にした請求項３記載の引戸錠。
【請求項５】
前記デッドロックストッパーを、デッドロックカムの背後に配置した請求項３記載の引戸錠。
【請求項６】
前記デッドロックカムの側方に解除ストッパーを回動可能に設け、該ストッパーの上端部をデッドボルトの底部に係合可能に設け、該ストッパーを上方へ移動可能に付勢するとともに、前記解錠摘みの回動操作時、前記解除ストッパーをデッドロックカム側へ傾倒回動し、デッドボルトを後退可能にするとともに、室内錠を解錠可能にした請求項４記載の引戸錠。
【請求項７】
前記室内錠を、錠ケースと錠カバーとを接合して扁平な容器状に形成した請求項１記載の引戸錠。
【請求項８】
前記室内錠を引戸の室内側端部の側面に配置した請求項８記載の引戸錠。
【請求項９】
前記室内錠の内部にトリガーとデッドボルトを出没可能に収容し、このトリガーとデッドボルトとをクランクリンクを介して揺動可能に連係し、前記トリガーとデッドボルトとを互いに異方向へ移動可能にした請求項１記載の引戸錠。
【請求項１０】
前記トリガーの上方に空錠切替プレートを上下動可能に設け、該空錠切替プレートを上方へ移動可能に付勢するとともに、該切替プレートの直上に空錠切替カムを回動可能に配置した請求項９記載の引戸錠。
【請求項１１】
前記空錠切替カムを略半月状に形成した請求項１０記載の引戸錠。
【請求項１２】
前記空錠切替カムの回動中心に空錠切替ピンを係合した請求項１０記載の引戸錠。
【請求項１３】
空錠切替ピンの起立作動を介して室内錠を自動施錠機能に切り替え可能にするとともに、自動施錠機能から空錠切替ピンを９０°回動して、空錠切替機能に切り替え可能にした請求項１２記載の引戸錠。
【請求項１４】
前記引戸の室外側に、キーレス錠またはシリンダー錠の室外錠を配置した請求項１記載の引戸錠。
【請求項１５】
前記キーレス錠は、押圧操作によって暗証情報を入力および解除可能な複数のロックピンと、前記ロックピンと係脱可能な複数のロック孔を形成したロックプレートと、前記ロックピンの作動を制御するリセット板と、を備え、前記ロックピンの一部または全部に暗証情報入力して前記ロック孔に係合可能に設け、該暗証情報入力した前記ロックピンの暗証情報入力を解除して前記ロック孔との係合を解除し、該ロックプレートを室外錠の解錠摘みの回動変位に連動可能にした請求項１４記載の引戸錠。
【請求項１６】
前記キーレス錠の解錠後、室外側の解錠摘みの回動変位に駆動カムを同動し、該駆動カムに係合するロックプレートとリセット板を作動し、ロックプレートと暗証情報入力後のロックピンとの係合を解除し、前記暗証情報入力をキャンセル可能にした請求項１５記載の引戸錠。
【請求項１７】
前記暗証情報入力をキャンセル後、室外側の解錠摘みの回動操作を介し、前記デッドロックカムをデッドボルトの後退域から後退可能にし、室外側から引戸を解錠ないし開扉可能にした請求項３または１６記載の引戸錠。
【請求項１８】
前記引戸の室内外側面に把手を取付けた請求項１記載の引戸錠。
【請求項１９】
前記錠ケースと錠カバーの対向位置に、トリガーとデッドボルトの出没通路を有する張出部を突設し、該張出部を掛止受座の端面に係合可能に配置した請求項７記載の引戸錠。
【請求項２０】
前記張出部を掛止受座の長さ方向の全域に亘って係合配置した請求項１９記載の引戸錠
【請求項２１】
前記掛止受座の端面に係合突起を突設し、該係合突起に前記トリガーを当接可能に配置した請求項１記載の引戸錠。
【請求項２２】
前記戸枠の側面にＬ字形断面のアタッチメントを取付け、該アタッチメントに掛止受座を取付けた請求項１記載の引戸錠。
【請求項２３】
前記戸枠の端面に取付穴を形成し、該取付穴に掛止受座を取付けた請求項１記載の引戸錠。
【発明の詳細な説明】
【技術分野】
【０００１】
本発明は、例えば鎌形掛金が引戸の端部から出没する、いわゆる戸先引戸錠に好適で、引戸や戸枠に特別な加工を要することなく、それらに錠前本体と掛金を係脱する掛止受座を容易に取付けられ、それらのメンテナンスを容易に行なえるとともに、引戸錠の機能に自動施錠機能と空錠切替機能を備え、これらを選択的に切り替え可能にするとともに、自動施錠機能時には煩雑な施錠操作を要することなく迅速かつ自動的に施錠でき、また空錠切替機能時には掛金と掛止受座の係脱操作をいちいち要することなく、引戸を自由に開閉でき頻繁な開閉に応じられるようにし、更に引戸の強制解錠機構を備えて、引戸の建付け状態や構成部材の経年的劣化による解錠不能な事態を回避し、強制的に解錠し得る引戸錠に関する。
【背景技術】
【０００２】
従来の戸先引戸錠のなかに、引戸の内部に器枠を埋め込み、この器枠に鎌金の支軸を長孔に収容し常時は後方へ移動可能に付勢し、鎌金の端部を引戸の内部に引き込ませるとともに、鎌金の直上位置にロックレバーを回動可能に設け、  該レバーの係合部を鎌金の係合段部に係合可能に設けて、戸枠に設けた受座の開口縁に鎌金の端部を係合する施錠状態をロックさせ、また鎌金にカムプレートの一端を揺動可能に支持し、該カムプレートの他端を前方へ回動可能に付勢するとともに、該カムプレートの他端をトリガーの後方延設部に突設した係合ピンに係合し、前記トリガーを引戸の外部へ突出させて構成している。
【０００３】
そして、引戸の閉鎖時にトリガーを戸枠に当接させて鎌金を回動し、鎌金の先端部を受座の開口縁に係入させ、トリガーを器枠内に後退させるとともに、この後退時にトリガーの後部に設けたロックボールを器枠に設けた係止孔に係合させて、トリガーの後退位置を規制し、引戸を仮施錠状態にして施解錠可能にしたものがある（例えば、特許文献１参照）。
【０００４】
しかし、前記引戸錠は、引戸の内部に器枠を埋め込む大形の埋め込み穴の加工を要する上に、前記仮施錠状態にいちいち鎌金と受座の開口縁との係脱作動を要する問題があり、その前記係脱操作によって引戸の開閉の円滑性が損なわれる問題があった。
しかも、仮施錠状態から引戸の開閉を完全に阻止するためには、本施錠状態へ移行する必要があり、その操作が面倒である等の問題があった。
【０００５】
このような問題を解決するものとして、引戸の内部に大きな錠箱収容穴を形成し、この錠箱収容穴にカマとトリガーと解錠用の作用片を配置し、該作用片を室外側のシリンダー錠またはサムターン等に連係し、引戸の閉扉時にトリガーを後退しカマを戸枠側のストライクに係合させて自動的に施錠するようにした引戸用錠がある（例えば、特許文献２参照）。
【０００６】
しかし、前記引戸用錠は、引戸の内部に大きな錠箱収容穴を形成する必要があり、また閉扉時の施錠状態を維持するために、室外側からシリンダー錠またはサムターン等を操作し、錠止用係合片をカマの後部に設けた凹部に係合させる必要があり、引戸の閉扉だけでは確実な施錠状態を得られない等の問題があった。
【０００７】
このような先行技術の他にも、引戸の内部に大きなケース収容穴を形成し、この収容穴にケースを収容し、このケースにトリガーと鎌部材を出没可能に収容するとともに、前記ケースにロックカムを回動可能に設け、仮施錠後、ロックカムを回動操作し、ロック棒の先端を鎌部材のピンに係合させて、本施錠状態に移行させるものがあった（例えば、特許文献３参照）。
【０００８】
更に、引戸の内部に大きな錠ケース収容穴を形成し、この収容穴に錠ケースを収容し、この錠ケースにトリガーとデッドボルトを出没可能に収容し、前記鎌部材をデッドボルトに出没可能に収容するとともに、前記錠ケースにシリンダーやサムターンの操作によって回動するデッドハブを収容し、仮施錠後、シリンダーやサムターンを操作してデッドハブを回動し、デッドハブに突設した係合部を錠杆の後端部に移動し、錠杆の後退を阻止して本施錠状態に移行させるものがあった（例えば、特許文献４参照）。
【０００９】
しかし、これらの先行技術は、何れも引戸の内部に大きな錠ケース収容穴の形成を要し、また引戸の閉扉時は仮施錠に留まり、これを完全に施錠する場合は、シリンダーやサムターン等の操作を要する問題があった。
しかも、前記仮施錠状態はいちいち鎌金と受座の開口縁との係脱作動を要し、引戸の開閉の円滑性が損なわれる等の問題が解消されていなかった。
【００１０】
ところで、出願人は、電気または電子により作動する錠前の代わりに、全ての部材を機械的に構成し、それらを有機的に連繋させて堅牢性を向上し防御能力を強化して、電力供給を断たれた非常時にも機能し得る、キーレスタイプのキーレス錠を種々開発し提案している。
前記キーレス錠は、例えば暗証情報を入力する複数の押しボタンと、該押しボタンに同動するロックピンと、該ロックピンと係脱してロックおよびアンロック作動するロック板とを備え、前記押しボタンに暗証情報を入力かつ記憶させて施錠し、該暗証情報を基に押しボタンを操作してロックピンとロック板との係合を解除し、解錠可能にしている。
【００１１】
そこで、出願人は前記キーレス錠の特徴を利用して、これを家庭や工場、事務所や駅舎の引き違い戸の錠前に利用し、引戸の防御能力を強化し使用上の安全性を確保するようにした引戸錠を開発し、これを既に提案している（例えば、特許文献５参照）。
前記引戸錠は引き違い戸への利用を対象にし、掛け金に相当するラッチロックと、受座に相当するラッチキャッチを内外の引戸の支持枠に設け、それらを引戸の移動方向と直角方向に出没させているため、引戸を戸枠に当接する形態の引戸に利用することは難しい。
【先行技術文献】
【特許文献】
【００１２】
【特許文献１】特公昭５６−３３５５３号公報
【特許文献２】実用新案登録第２５９７７０１号公報
【特許文献３】特開２００１−１２１２６号公報
【特許文献４】特許第４５６７４３４号公報
【特許文献５】特許第５６５９１９４号公報
【発明の概要】
【発明が解決しようとする課題】
【００１３】
本発明はこのような問題を解決し、例えば鎌形掛金が引戸の端部から出没する、いわゆる戸先引戸錠に好適で、引戸や戸枠に特別な加工を要することなく、それらに錠前本体と掛金を係脱する掛止受座を容易に取付けられ、それらのメンテナンスを容易に行なえるとともに、引戸錠の機能に自動施錠機能と空錠切替機能を備え、これらを選択的に切り替え可能にするとともに、自動施錠機能時には煩雑な施錠操作を要することなく迅速かつ自動的に施錠でき、また空錠切替機能時には掛金と掛止受座の係脱操作をいちいち要することなく、引戸を自由に開閉でき頻繁な開閉に応じられるようにし、更に引戸の強制解錠機構を備えて、引戸の建付け状態や構成部材の経年的劣化による解錠不能な事態を回避し、強制的に解錠し得る引戸錠を目的とする。
【課題を解決するための手段】
【００１４】
請求項１の発明は、戸枠と、該戸枠に当接可能に配置した引戸と、引戸の室内側に設けた室内錠を備え、前記戸枠に係合孔を形成した掛止受座を取付け、前記室内錠に、掛止受座に係脱可能な鎌形の掛金と、引戸の開閉時に出没可能なトリガーと、引戸の開閉時に前記掛止受座に進退可能に設けられ、かつ前記掛金を出没可能に収容したデッドボルトと、を備えた引戸錠において、前記錠前は自動施錠機能と空錠切替機能を備え、これらの機能を選択的に切り替え可能にするとともに、自動施錠機能は引戸の施解錠を形成可能にし、引戸の施錠時に前記掛金を掛止受座に係合し、かつこの係合状態を引戸の閉扉時に自動的に形成して維持可能にし、室内錠に自動施錠機能と空錠切替機能を備え、これらの機能を選択的に切り替え可能にして、使用上の利便性を向上するとともに、自動施錠機能時は引戸の施解錠を形成可能にし、引戸の施錠時は前記掛金を掛止受座に係合し、かつこの係合状態を引戸の閉扉時に自動的に形成して維持可能にし、従来のように仮施錠状態から本施錠状態への面倒な移行操作を解消し、使用上の利便性を向上するとともに、確実な施錠状態を速やかに得られるようにしている。
【００１５】
請求項２の発明は、前記空錠切替機能は、トリガーとデッドボルトを前記室内錠に収容し、掛金と掛止受座との係合を不可能にし、引戸を自由に開閉可能にして、掛金と掛止受座との係脱操作をいちいち要することなく、引戸を迅速に開閉可能にして頻繁な開閉に応じられるようにしている。
請求項３の発明は、室内錠に解錠摘みを回動可能に設け、前記解錠摘みにデッドロックカムを同動可能に設け、該デッドロックカムをデッドボルトの後退域に出没可能に設け、引戸の閉扉かつ施錠時に前記デッドロックカムをデッドボルトの後退域に係合可能に移動し、デッドボルトの後退を阻止して、従来のようなシリンダーやサムターンを駆使することなく、引戸の施錠状態を容易かつ確実に維持し得るようにしている。
【００１６】
請求項４の発明は、前記デッドロックカムの近接位置にデッドロックストッパーを回動可能に設け、前記解錠摘みを操作し室内錠を解錠する際、デッドロックストッパーをデッドロックカムの回動方向と反対方向へ回動可能に付勢し、該デッドロックストッパーを介しデッドロックカムの回動を規制し、該デッドロックカムをデッドボルトの後退域から後退可能にし、デッドロックカムの解錠状態を保持し、デッドボルトの後退と引戸の開扉を実行可能にしている。
請求項５の発明は、デッドロックストッパーを、デッドロックカムの背後に配置し、デッドロックカムの背部からデッドボルトの後退を容易に形成可能にしている。
【００１７】
請求項６の発明は、デッドロックカムの側方に解除ストッパーを回動可能に設け、該ストッパーの上端部をデッドボルトの底部に係合可能に設け、該ストッパーを上方へ移動可能に付勢するとともに、前記解錠摘みの回動操作時、前記解除ストッパーをデッドロックカム側へ傾倒回動し、デッドボルトを後退可能にするとともに、室内錠を解錠可能にして、引戸の建付け不良や錠前の経年的な使用による構成部材の損傷や劣化によって、室内錠の解錠が不可能な場合、室内側の解錠摘みの解錠操作によって、室内錠の解錠とデッドボルトの後退を強制的に実行し、前記事態に対応して室内錠の解錠ないし引戸の開扉を実行可能にしている。
【００１８】
請求項７の発明は、室内錠を、錠ケースと錠カバーとを接合して扁平な容器状に形成し、前記錠前を小形かつコンパクトに形成するようにしている。
請求項８の発明は、室内錠を引戸の室内側端部の側面に取付け、室内錠の安全で容易かつコンパクトな取付けを実現している。
請求項９の発明は、室内錠の内部にトリガーとデッドボルトを出没可能に収容し、このトリガーとデッドボルトとをクランクリンクを介して揺動可能に連係し、前記トリガーとデッドボルトとを互いに異方向へ移動可能にし、室内錠の小形化を図るとともに、トリガーとデッドボルトの作動によって、室内錠の自動施錠を実現可能にしている。
【００１９】
請求項１０の発明は、トリガーの上方に空錠切替プレートを上下動可能に設け、該空錠切替プレートを上方へ移動可能に付勢するとともに、該切替プレートの直上に空錠切替カムを回動可能に配置し、空錠切替カムの回動変位を空錠切替プレートに伝え、トリガーとクランクリンクの変位を形成するとともに、引戸の開扉時にトリガーを突出しデッドボルトを後退させて室内錠の解錠状態を形成し、引戸の閉扉時にトリガーを掛止受座の係合突起に当接させて、トリガーを後退しデッドボルトを突出させて施錠状態を形成可能にしている。
請求項１１の発明は、空錠切替カムを略半月状に形成し、空錠切替カムの回動による変位を空錠切替プレートに伝え、その起立回動時と９０°回動時の各変位によって、自動施錠機能と空錠切替機能を形成可能にしている。
【００２０】
請求項１２の発明は、空錠切替カムの回動中心に空錠切替ピンを係合し、空錠切替ピンの回動変位によって、自動施錠機能と空錠切替機能を切替え可能にしている。
請求項１３の発明は、空錠切替ピンの起立作動を介して室内錠を自動施錠機能に切り替え可能にするとともに、自動施錠機能から空錠切替ピンを９０°回動して、空錠切替機能に切り替え可能にしている。
【００２１】
請求項１４の発明は、引戸の室外側に、キ−レス錠またはシリンダー錠の室外錠を配置し、室外側から引戸の施解錠と開閉を行なえるようにしている。
請求項１５の発明は、キーレス錠は、押圧操作によって暗証情報を入力および解除可能な複数のロックピンと、前記ロックピンと係脱可能な複数のロック孔を形成したロックプレートと、前記ロックピンの作動を制御するリセット板と、を備え、前記ロックピンの一部または全部に暗証情報入力して前記ロック孔に係合可能に設け、該暗証情報入力した前記ロックピンの暗証情報入力を解除して前記ロック孔との係合を解除し、該ロックプレートを室外錠の解錠摘みの回動変位に連動可能にし、暗証情報入力によるキーレス錠によって、室外側から施解錠を安全に行なえるようにしている。
【００２２】
請求項１６の発明は、キーレス錠の解錠後、室外側の解錠摘みの回動変位に駆動カムを同動し、該駆動カムに係合するロックプレートとリセット板を作動し、ロックプレートと暗証情報入力後のロックピンとの係合を解除し、前記暗証情報入力をキャンセル可能にし、室外側からの解錠とその安全性を確保するようにしている。
請求項１７の発明は、暗証情報入力をキャンセル後、室外側の解錠摘みの回動操作を介し、前記デッドロックカムをデッドボルトの後退域から後退可能にし、室外側から引戸を解錠ないし開扉可能にし、室外側の解錠摘みの操作を基にデッドボルトを後退し、引戸を解錠ないし開扉可能にしている。
請求項１８の発明は、引戸の室内外側面に把手を取付け、引戸の開閉を容易に行なえるようにしている。
請求項１９の発明は、錠ケースと錠カバーの対向位置にトリガーとデッドボルトの出没通路を有する張出部を突設し、該張出部を掛止受座の端面に係合可能に配置し、トリガーとデッドボルトの円滑な出没動作を図るとともに、室内錠を安定して掛止受座に係合させるようにしている。
【００２３】
請求項２０の発明は、張出部を掛止受座の長さ方向の全域に亘って係合配置し、室内錠を確実かつ安定して掛止受座に係合させるようにしている。
請求項２１の発明は、掛止受座の端面に係合突起を突設し、該係合突起に前記トリガーを当接可能に配置し、トリガーをいち早く係合突起にさせて後退させ、突出状態のトリガーとの接触に伴うデッドボルトや掛金の誤動作を防止し得るようにしている。その際、室内錠を引戸の室内側の側面に配置しているから、トリガーを引戸の室内側に隠蔽させ、前記接触を未然に防止し得るようにしている。
請求項２２の発明は、戸枠の側面にＬ字形断面のアタッチメントを取付け、該アタッチメントに掛止受座を取付け、引戸の建付け変更に容易に応じられるようにしている。
請求項２３の発明は、戸枠の端面に取付穴を形成し、該取付穴に掛止受座を取付け、引戸の建付け変更に容易に応じられるようにしている。
【発明の効果】
【００２４】
請求項１の発明は、室内錠は自動施錠機能と空錠切替機能を備え、これらの機能を選択的に切り替え可能にするとともに、自動施錠機能は引戸の施解錠を形成可能にし、引戸の施錠時に前記掛金を掛止受座に係合し、かつこの係合状態を引戸の閉扉時に自動的に形成して維持可能にし、室内錠に自動施錠機能と空錠切替機能を備え、これらの機能を選択的に切り替え可能にして、使用上の利便性を向上するとともに、自動施錠機能時は引戸の施解錠を形成可能にし、引戸の施錠時は前記掛金を掛止受座に係合し、かつこの係合状態を引戸の閉扉時に自動的に形成して維持可能にしたから、従来のように仮施錠状態から本施錠状態への面倒な移行操作を解消し、使用上の利便性を向上するとともに、確実な施錠状態を速やかに得ることができる。
【００２５】
請求項２の発明は、空錠切替機能は、トリガーとデッドボルトを前記室内錠に収容し、掛金と掛止受座との係合を不可能にして、引戸を自由に開閉可能にしたから、掛金と掛止受座との係脱操作をいちいち要することなく、引戸を迅速に開閉することができ、引戸の頻繁な開閉に応じられる効果がある。
請求項３の発明は、室内錠に解錠摘みを回動可能に設け、前記解錠摘みにデッドロックカムを同動可能に設け、該デッドロックカムをデッドボルトの後退域に出没可能に設け、引戸の閉扉かつ施錠時に前記デッドロックカムをデッドボルトの後退域に係合可能に移動したから、施錠時におけるデッドボルトの後退を阻止し、従来のようなシリンダーやサムターンを駆使することなく、引戸の施錠状態を容易かつ確実に維持することができる。
【００２６】
請求項４の発明は、前記デッドロックカムの近接位置にデッドロックストッパーを回動可能に設け、前記解錠摘みを操作し室内錠を解錠する際、デッドロックストッパーをデッドロックカムの回動方向と反対方向へ回動可能に付勢し、該デッドロックストッパーを介しデッドロックカムの回動を規制し、該デッドロックカムをデッドボルトの後退域から後退可能にしたから、デッドロックカムの解錠状態を保持して、デッドボルトの後退と引戸の開扉を実行することができる。
請求項５の発明は、デッドロックストッパーを、デッドロックカムの背後に配置したから、デッドロックカムの背部からデッドボルトの後退を容易に形成することができる。
【００２７】
請求項６の発明は、デッドロックカムの側方に解除ストッパーを回動可能に設け、該ストッパーの上端部をデッドボルトの底部に係合可能に設け、該ストッパーを上方へ移動可能に付勢するとともに、前記解錠摘みの回動操作時、前記解除ストッパーをデッドロックカム側へ傾倒回動し、デッドボルトを後退可能にするとともに、室内錠を解錠可能にしたから、引戸の建付け不良や錠前の経年的な使用による構成部材の損傷や劣化によって、室内錠の解錠が不可能になった場合、室内側の解錠摘みの解錠操作によって、室内錠の解錠とデッドボルトの後退を強制的に実行し、前記事態に対応して室内錠の解錠ないし引戸の開扉を実行することができる。
【００２８】
請求項７の発明は、室内錠を、錠ケースと錠カバーとを接合して扁平な容器状に形成したから、室内錠を小形かつコンパクトに形成することができる。
請求項８の発明は、室内錠を引戸の室内側端部の側面に配置したから、室内錠を安全で容易かつコンパクトに取付けることができる。
請求項９の発明は、室内錠の内部にトリガーとデッドボルトを出没可能に収容し、このトリガーとデッドボルトとをクランクリンクを介して揺動可能に連係し、前記トリガーとデッドボルトとを互いに異方向へ移動可能にしたから、室内錠の小形化を図るとともに、トリガーとデッドボルトの前記作動によって、室内錠の自動施錠を促すことができる。
【００２９】
請求項１０の発明は、トリガーの上方に空錠切替プレートを上下動可能に設け、該空錠切替プレートを上方へ移動可能に付勢するとともに、該切替プレートの直上に空錠切替カムを回動可能に配置したから、空錠切替カムの回動変位を空錠切替プレートに伝え、トリガーとクランクリンクの変位を形成するとともに、引戸の開扉時にトリガーを突出し、デッドボルトを後退させて室内錠の解錠状態を形成し、引戸の閉扉時にトリガーを掛止受座の係合突起に当接させ、トリガーを後退しデッドボルトを突出させて、施錠状態を形成させることができる。
請求項１１の発明は、空錠切替カムを略半月状に形成したから、空錠切替カムの回動による変位を空錠切替プレートに伝え、その起立回動時と９０°回動時の各変位によって、自動施錠機能と空錠切替機能を形成させることができる。
【００３０】
請求項１２の発明は、空錠切替カムの回動中心に空錠切替ピンを係合したから、空錠切替ピンの回動操作によって、自動施錠機能と空錠切替機能を切替えることができる。
請求項１３の発明は、空錠切替ピンの起立作動を介して室内錠を自動施錠機能に切り替え可能にするとともに、自動施錠機能から空錠切替ピンを９０°回動して、空錠切替機能に切り替え可能にしたから、自動施錠機能と空錠切替機能を容易に切替えることができる
【００３１】
請求項１４の発明は、引戸の室外側に、キーレス錠またはシリンダー錠の室外錠を配置したから、室外側から引戸の施解錠と開閉を行なうことができる。
請求項１５の発明は、キーレス錠は、押圧操作によって暗証情報を入力および解除可能な複数のロックピンと、前記ロックピンと係脱可能な複数のロック孔を形成したロックプレートと、前記ロックピンの作動を制御するリセット板と、を備え、前記ロックピンの一部または全部に暗証情報入力して前記ロック孔に係合可能に設け、該暗証情報入力した前記ロックピンの暗証情報入力を解除して前記ロック孔との係合を解除し、該ロックプレートを室外錠の解錠摘みの回動変位に連動可能にしたから、暗証情報入力によるキ−レス錠によって、室外側からの施解錠を安全に行なうことができる。
【００３２】
請求項１６の発明は、キーレス錠の解錠後、室外側の解錠摘みの回動変位に駆動カムを同動し、該駆動カムに係合するロックプレートとリセット板を作動し、ロックプレートと暗証情報入力後のロックピンとの係合を解除し、前記暗証情報入力をキャンセル可能にしたから、室外側からの解錠を安全かつ円滑に実行することができる。
請求項１７の発明は、暗証情報入力をキャンセル後、室外側の解錠摘みの回動操作を介し、前記デッドロックカムをデッドボルトの後退域から後退可能にし、室外側から引戸を解錠ないし開扉可能にしたから、室外側の解錠摘みの操作を基にデッドボルトを後退し、引戸を解錠ないし開扉することができる。
請求項１８の発明は、引戸の室内外側面に把手を取付けたから、引戸の開閉を容易に行なうことができる。
請求項１９の発明は、錠ケースと錠カバーの対向位置にトリガーとデッドボルトの出没通路を有する張出部を突設し、該張出部を掛止受座の端面に係合可能に配置したから、トリガーとデッドボルトの円滑な出没動作を促せるともに、室内錠を安定して掛止受座に係合させることができる。
【００３３】
請求項２０の発明は、張出部を掛止受座の長さ方向の全域に亘って係合配置したから、室内錠を確実かつ安定して掛止受座に係合させることができる。
請求項２１の発明は、掛止受座の端面に係合突起を突設し、該係合突起に前記トリガーを当接可能に配置したから、トリガーをいち早く係合突起にさせて後退させ、突出状態のトリガーの接触に伴うデッドボルトや掛金の誤動作を防止することができる。その際、室内錠を引戸の室内側の側面に配置しているから、トリガーを引戸の室内側に隠蔽させ、前記接触を未然に防止することができる。
請求項２２の発明は、戸枠の側面にＬ字形断面のアタッチメントを取付け、該アタッチメントに掛止受座を取付けたから、引戸の建付け変更に容易に応じられる効果がある。
請求項２３の発明は、戸枠の端面に取付穴を形成し、該取付穴に掛止受座を取付けたから、引戸の建付け変更に容易に応じられる効果がある。
【図面の簡単な説明】
【００３４】
【図１】本発明を一本引きの引戸に適用した正面図で、引戸の閉扉状態を室外側から図示している。
【図２】図１のＡ−Ａ線に沿う拡大断面図で、室内錠と室外錠の取付け状態を示している。
【図３】本発明に適用した室内錠を拡大して示す正面図である。
【図４】図１の室外錠を拡大して示す正面図である。
【図５】本発明に適用した室内錠と室外錠の取付け状態の要部を示す平面図である。
【００３５】
【図６】本発明に適用した組立後の室内錠と、室内座を分解して示す斜視図である。
【図７】本発明に適用した室内錠と室内座を分解して示す斜視図である。
【図８】本発明に適用した室内錠内の解錠時の状況を示す拡大して示す正面図である。
【図９】本発明に適用した室内錠内の施錠時の状況を示す拡大して示す正面図である。
【図１０】本発明に適用した室内錠内の空錠切替時の状況を示す拡大して示す正面図である。
【００３６】
【図１１】本発明の室内錠に適用したデッドロックカムとデッドロックカムストッパーによる解錠保持作動を拡大して順に示す正面図で、（ａ）は引戸の開扉時の解錠状況を示し、デッドロックカムがデッドボルトの後退域を開放しており、（ｂ）は引戸の閉扉時の施錠状況を示し、デッドロックカムがデッドボルトの後退域に移動して係合し、デッドボルトの後退を阻止しており、（ｃ）は前記施錠時に解錠摘みを操作し、デッドロックカムをデッドボルトの後退域から後退させており、（ｄ）は前記デッドロックカムの後退後、デッドロックカムストッパーをデッドロックカムに係合させ、デッドロックカムの後退と室内錠の解錠を保持し、引戸の開扉を可能にしている。
【００３７】
【図１２】本発明の室内錠に適用したデッドロックカムと解除ストッパーとデッドボルトによる強制解錠作動を拡大して順に示す正面図で、（ａ）は引戸の閉扉かつ施錠時に、デッドロックカムがデッドボルトの後端部に係合して後退を阻止し、解除ストッパーがデッドボルトに係合しており、（ｂ）は解錠摘みを操作し、デッドロックカムをデッドボルトの後端部から後退させるとともに、解除ストッパーをデッドロックカム側へ傾倒させ、デッドボルトを後退させて強制的に解錠し開扉可能にしており、（ｃ）は引戸の開扉後の状況を示している。
【００３８】
【図１３】本発明に適用した室外錠（キーレス錠）の要部を分解して示す斜視図である。
【図１４】（ａ）は図１３のキーレス錠に適用したリセット板とリセット押え板の要部を拡大して示す斜視図である。（ｂ）は（ａ）のＢ−Ｂ船に沿う断面図である。
【図１５】本発明のキーレス錠に適用したロックピンを拡大して示す斜視図で、（ａ）は１列側に配置したロックピンの暗証入力時の状況を示し、（ｂ）は２列側に配置したロックピンの暗証入力時の状況を示している。
【図１６】本発明のキーレス錠に適用したロックピンの非暗証入力時と、暗証入力時の状況を拡大して示す断面図である。
【図１７】本発明のキーレス錠に適用したクリアボタンとクリアピンの組み込み状況を拡大して示す断面図である。
【図１８】図１７のクリアピンを示す斜視図である。
【００３９】
【図１９】本発明の第２の実施形態を示す正面図で、戸枠の側面にアタッチメントを取付け、該アタッチメントの一側片に掛止受座を取付けている。
【図２０】図１９の平面図で、一部を断面図示している。
【図２１】本発明の第３の実施形態を示す断面図で、戸枠の端面に取付孔を形成し、この取付孔に掛止受座を収容して取付けている。
【図２２】本発明の第４の実施形態を示す断面図で、図４のＣ−Ｃ線に沿う断面を示し、キーレス錠の下端部内に複数のギアを噛合配置し、シリンダー錠の回動変位を室外側の解錠摘みに連係させている。
【発明を実施するための最良の形態】
【００４０】
以下、本発明を一本引きの引戸に適用した図示の実施形態について説明すると、図１乃至図１８において１は一本引きの引戸で、その閉扉側に戸枠２が立設され、その戸当り面に戸当り溝２ａが形成されている。前記戸枠２は仕切壁を構成する支柱３に支持され、該支柱３の内外に仕切壁４，５を配置している。
前記戸枠２の室内側の中高位置で引戸１とオフセット位置に、掛止受座６がビス（図示略）を介して取付けられ、この掛止受座６の端面に室内錠７が当接可能に取付けられている。前記掛止受座６に、鎌形の掛金８が係脱可能に掛け止められ、室内錠７を施解錠可能にしている。図中、９は引戸１を収納する戸袋である。
【００４１】
前記掛止受座６は、亜鉛合金ダイカストによって略四角柱状に形成され、その端面の両側に側壁１０が対向配置され、この側壁１０，１０の内側に室内錠７の後述する張出部を当接可能に配置している。
前記掛止受座６の端面の上部に係合突起１１が突設され、その突出高ｈは掛止受座６の側端面より突出していて、この突出面に後述するトリガーを当接可能に配置し、トリガーを速やかに後退可能にしている。
【００４２】
そして、前記トリガーの後退動に、後述するクランクリンクの揺動と、デッドボルトの出没作動と、掛金の出没作動を連係させ、それらの作動を促すようにしている。
前記掛止受座６の中間部に係合孔１２が形成され、該係合孔１２に前記掛金８が係脱可能に掛け止められ、室内錠７の施解錠を形成可能にしている。
【００４３】
前記掛金８は、その枢支側の一端に略Ｕ字形状の係合溝８ａが形成され、該係合溝８ａに後述する錠ケースに設けたピンを係合可能に配置している。
前記引戸１の引出し側端部の室内１３側に室内錠７が取付けられ、該室内錠７の室内１３側に室内座１４が取付けられ、引戸１の室外１５側に室外錠としてキーレス錠１６が取付けられている。
前記室内座１４は縦長の小判形に形成され、その上部に空錠切替ピン３５が回動可能に取り付けられ、その軸端部に切替摘み１７が設けられ、この切替摘み１７の回動操作によって、室内錠７を室内側から施解錠可能に構成している。
【００４４】
前記室内座１４の中間部に大径の貫通穴１２７が形成され、該貫通穴１２７に外側から解錠摘み１８の軸筒部１８ａが挿入され、その角孔１２８に角芯棒３８が係入している。
前記解錠摘み１８は、亜鉛合金ダイカストによって小形のレバーハンドル状に一体成形され、その軸筒部１８ａにストップワッシャ１２９のハブ穴１３０が挿入され、その端部側の環状溝１３１に止め輪１３２が嵌め込まれている。
図中、１３３はストップワッシャ１２９の周面に突設した係止片で、貫通穴１２７の内側に対向配置した１対のストッパー１３４の上端部に係合して、解錠摘み１８の回動角度を規制可能にしている。
【００４５】
前記空錠切替摘み１７の周囲にＡｕｔｏ  Ｌｏｃｋ（自動施錠）とＦｒｅｅ（空錠切替）の文字が表示され、そのスリワリ溝１７ａの回動操作によって、前記機能の何れか一つに切り替え可能にしている。
このうち、自動施錠機能は室内錠７を施解錠状態に形成可能にし、引戸１の閉扉時に後述するトリガーを錠ケース内に後退させ、掛金８を掛止受座６の係合孔１２に係合して施錠可能にしている。
また、空錠切替機能は室内錠７を非施解錠状態に形成可能にし、後述するトリガーを後退し、かつ掛金８を後述するデッドボルトに収容して非施解錠可能にし、引戸１を自由に開閉可能にしている。
【００４６】
前記キーレス錠１６は複数の押しボタン１９を備え、これらに複数の暗証情報を入力して記憶させ、その暗証情報を基に押しボタン１９を押圧操作して施解錠可能にされ、その下部に室外側の解錠摘み２０が回動可能に取付けられ、該摘み２０の操作によって室内錠７を室外側から解錠し、引戸１を開扉可能にしている。
図中、２１，２２は引戸１の内外に取付けた略Ｕ字形状の把手で、引戸１の開閉に使用され、２３は引戸１と室内座１４との間に配置したパッキングシールである。
【００４７】
前記室内錠７は、図２および図７のように錠ケース２４と錠カバー２５とを備え、これらは亜鉛合金ダイカストによって縦長小判形の略皿状に成形され、それらの周囲に側壁２６，２７が形成され、その片側の中間部に側方に突出する張出部２８，２９が形成されている。
前記錠ケース２４と錠カバー２５は引戸１の端面から内側に離間して配置され、その離間寸法Ｊは、掛止受座６の縦幅に張出部２８，２９の張出幅ｍを加えた長さに略相当し、引戸１に対する取付け寸法を可及的にコンパクト化している。
【００４８】
前記張出部２８，２９の長さは、錠ケース２４および錠カバー２５の長さの略１／２に形成され、その張出幅ｍは前記係合突起１１の突出高ｈの略１．５倍に形成され、この張出部２８，２９の端部を掛止受座６の前端面に係合可能にしている。
前記錠ケース２４内の上下端部と中間部に複数のネジ孔３０が形成され、これらのネジ孔３０に錠カバー２５の外側からビス孔３１を介してビス３２がねじ込まれ、錠ケース２４と錠カバー２５とを略中空の小判形ケースに形成している。
【００４９】
前記錠ケース２４と錠カバー２５の上部に通孔３３，３４が形成され、これらに室内座１４側から略角管状の空錠切替ピン３５が挿入され、該切替ピン３５にキーレス錠１６側から後述するクリアボタンに連係するクリアピンが挿入されている。
前記切替ピン３５の端部に空錠切替摘み１７が設けられ、該切替摘み１７を介して、室内側から室内錠７を前記自動施錠機能または空錠切替機能へ切り替え可能にしている。
【００５０】
前記錠ケース２４と錠カバー２５の中間部下方に通孔３６，３７が形成され、これらに室外側の解錠摘み２０と同動可能な角芯棒１６０が挿入され、その先端部と解錠摘み１８に装着する角芯棒３８との間に、ワンウェイクラッチ機構（図示略）が介挿されている。
前記ワンウェイクラッチ機構は、解錠摘み２０による角芯棒１６０の回動変位を室内側の解錠摘み１８の角芯棒３８に伝え、解錠摘み１８による角芯棒３８の回動変位を、室外側の角芯棒１６０へ伝えないようにして、室内側の解錠摘み１８による回動変位を室外側の解錠摘み２０に表出させないようにしている。
【００５１】
前記キーレス錠１６の後述するカバープレートの上下部と中間部にパイプネジ３９が植え込まれ、これらが引戸１の内部を貫通し、その端部に錠カバー２５から連結ネジ４０がねじ込まれて緊締され、引戸１の内外に室内座１４と室内錠７とキーレス錠１６とを固定している。
【００５２】
前記ケース２４の通孔３３に、空錠切替カム４１の凸軸が回動可能に挿入され、該切替カム４１は合成樹脂によって略半円形ないし半月状に成形され、その中心部に略角孔状の軸孔４２を形成し、該軸孔４２に前記空錠切替ピン３５を挿入している。
前記空錠切替カム４１は、自動施錠機能の解錠時と施錠時に空錠切替ピン３５を中心に同方向へ９０°回動して起立され、その起立時に円弧面４１ａの下端部を直下の空錠切替プレート４３に係合可能に位置付け、また前記切替カム４１の弦部４１ｂを側方に位置付けて、空錠切替プレートを押し下げ可能にしている。
【００５３】
前記空錠切替カム４１は、前記自動施錠機能の施解錠位置から９０°回動して空錠切替機能に切り替え可能にされ、その弦部４１ｂを空錠切替プレート４３の後述する上側係合片に対向配置し、円弧面４１ａの両端部を空錠切替プレート４３上の両端部に係合して、該空錠切替プレート４３に押し上げ可能にされている。
前記空錠切替プレート４３は合成樹脂によって略Ｔ字若しくはＨ形状の板体に成形され、その上部に横長の上側係合片４４が形成され、その上面は凹状の湾曲面４３ａに形成されていて、該湾曲面４３ａに空錠切替カム４１の円弧面４１ａの端部を係合可能に配置されている。
【００５４】
前記空錠切替プレート４３の中央に縦長のガイド溝４７が形成され、該ガイド溝４７に
錠ケース２４に突設した係止突起４８が挿入され、該係止突起４８とガイド溝４７の上端との間にプレートスプリング４９が介挿され、該スプリング４９の弾性を介して、空錠切替プレート４３を上方へ移動可能に付勢している。
【００５５】
前記空錠切替プレート４３の下部に横長の下側係合片４５が形成され、該係合片４５の上部に段部４６が形成され、その下面が平坦面４５ａに形成されている。
前記段部４６の一側面は、錠ケース２４の内側に突設したガイド５０に摺動可能に配置され、空錠切替え時に上側の肩部４６ａを、錠ケース２４の内側に突設した掛止リブ５１に係合可能に配置している。
前記係合段部４６の他側面に段部４６ｂが形成され、該段部４６ｂを空錠切替え時に錠ケース２４の内側に突設した凸部１５７に係合可能に配置している。
【００５６】
前記空錠切替プレート４３の直下に横長の二つのガイド溝５２，５３が形成され、該ガイド溝５２にトリガー５４の背部に突設したスライダが摺動可能に挿入されている。
この場合、ガイド溝５２を有底に構成することも可能である。
前記トリガー５４は合成樹脂によって略角柱状に成形され、その側部に舌片５５が突設され、該舌片５５の背面に前記スライダ５６が突設され、その表面側にピン５７が突設されていて、該ピン５７にプレートリンク５８の通孔５９が挿入されている。
【００５７】
前記トリガー５４は前記ガイド５０の下面と、側壁２６の屈曲部との間のトリガー５４の出没通路を形成する、平坦面に摺動可能に配置され、室内錠７の解錠時、リンクスプリング７３によって側端部を錠ケース２４の外側へ突出可能にされている。
前記トリガー５４の突出寸法ｋは、引戸１の端面からの錠ケース２４および錠カバー２５の離間寸法Ｊの略１／２以下に形成され、かつ張出部２８，２９の側端面からの突出寸法ｎを、前記係合突起１１の突出高ｈと略同一に形成されている。
前記トリガー５４は、引戸１の閉扉時に掛止受座６の係合突起１１に係合可能にされ、この係合によってリンクスプリング７３の弾性に抗して、錠ケース２４の内側へ後退可能にされ、かつこの後退位置を空錠切替時に維持可能にされている。
【００５８】
前記プレートリンク５８は合成樹脂によって略小判形に成形され、その長さ方向に二つの通孔５９，６０が形成され、この他方の通孔６０にＬ形リンク６１に突設したピン６２が挿入されている。
前記Ｌ形リンク６１は合成樹脂によって略Ｌ字形状に成形され、その前面に前記ピン６２，６３を突設し、その裏面にガイドピン（図示略）を突設していて、該ガイドピンを錠ケース２４に形成したガイド溝５３に摺動可能に挿入し、前記トリガー５４の出没作動を形成可能にしている。
【００５９】
前記Ｌ形リンク６１の一端に偏心アーム６４が突設され、該アーム６４の先端に突設した偏心ピン６５を、前記係合段部４６の背面に形成した異形の凹部４６ｃに係合可能に配置し、トリガー５４とＬ形リンク６１と空錠切替プレート４３の作動を連係させている。
【００６０】
前記ピン６３にクランクリンク６６の上端部の係合孔６７が回動可能に挿入され、その
中間部に軸筒部６８が形成され、該軸筒部６８を錠ケース２４に形成した通孔６９に回動可能に挿入し、該軸筒部６８を中心に揺動可能に支持されている。
図中、７０は錠ケース２４に突設したコ字形片で、内側に箱形のゴム製の消音ストッパー７１が収容され、この離間位置に一対のバネ受７２が突設され、このバネ受７２にセットスプリング７３が収容されている。
【００６１】
前記セットスプリング７３の一端は側壁２６の内面に着座し、この他端がクランクリンク６６の上部側面に係合し、該スプリング７３の弾性によって、クランクリンク６６を軸筒部６８を中心に図６上反時計方向へ回動可能に付勢している。
前記クランクリンク６６の下端部に通孔７４が形成され、該通孔７４をデッドボルト７５の一端部内に挿入し、該ハウジング７５の一端部にピン孔７６が形成されていて、これらにピン７７が挿入され、クランクリンク６６の下端部をデッドボルト７５の一端部に回動可能に連結している。
【００６２】
前記ピン７７の両端部は、錠ケース２４と錠カバー２５の中間部の対向位置に形成したガイド孔１３５，１３６に挿入され、その両端部を摺動可能に収容している。
前記デッドボルト７５はステンレス鋼板を略コ字形に屈曲形成し、その内側に鋼板製の掛金８を回動可能に取付けている。
前記掛金８の一端にピン孔７８が形成され、またデッドボルト７５の屈曲片にピン孔７９が形成され、これらのピン孔７８，７９に軸ピン８０を挿入して、掛金８をデッドボルト７５に回動可能に取付けている。
図中、８ａは掛金８の枢支側に形成した略Ｕ字形の係合溝で、該係合溝８ａを錠ケース２４に突設したピン９９に係合可能に配置している。
【００６３】
前記デッドボルト７５は、錠ケース２４の中間部に出没通路を介して側方へ移動可能に配置され、室内錠７の解錠時と空錠切替時は錠ケース２４内に没入し、施錠時は前記トリガー５４およびクランクリンク６６を介して、側方へ突出可能にされている。
そして、前記デッドボルト７５の突出時に、掛金８の係合溝８ａを前記ピン９９に係合し、該ピン９９を支点に上方へ回動して突出終期に、掛金８の先端部を係合孔１２の開口縁部に係合可能にしている。
【００６４】
前記デッドボルト７５の底部に切欠部８１が形成され、該切欠部８１に解除プレート８２の上端部が係合可能に挿入され、その下端部のピン孔８３に錠ケース２４に突設したピン８４が挿入され、該ピン８４を中心に解除プレート８２を回動可能に取付けている。  図中、８５は解除プレート８２の中間部に形成した略矩形の角孔である。
【００６５】
前記錠ケース２４の挿通孔３６に、亜鉛合金ダイカスト製のデッドロックカム８６のボス（図示略）が回動可能に挿入され、その周面の一端に略扇形の係合板８７が突設され、該係合板８７の一端にピン８８が突設されている。
前記ピン８８は前記角孔８５に係脱可能に挿入され、その係脱作動を介して解除プレート８２を起立または傾倒可能に構成している。
前記デッドロックカム８６の貫通穴８９に、亜鉛合金ダイカスト製のレバーカム９０の軸部が回動可能に挿入され、その内側に角芯棒３８を挿入可能な角孔９１が形成されている。前記軸部の周面の一端に係合片９２が突出形成され、該係合片９２の一端にバネ受９３が突設されている。
【００６６】
前記錠ケース２４の段部９４に凹溝９５が斜状に形成され、該凹溝９５にデッドロックカムスプリング９６が収容され、該スプリング９６の一端が係合板８７の側端部に係合していて、該スプリング９６の弾性を介し、デッドロックカム８６を図８上時計方向へ回動可能に付勢している。
また、前記バネ受９３にセットスプリング９７の一端が着座し、この他端が錠ケース２４の係止段部９８に係合し、該セットスプリング９７の弾性によって、レバーカム９０を図８上時計方向へ回動可能に付勢している。
【００６７】
前記錠ケース２４の凹部２４ａにピン１００が突設され、該ピン１００に亜鉛合金ダイカスト製のデッドロックストッパー１０１の軸孔１０２が回動可能に挿入され、該ストッパー１０１の裏面が凹部２４ａ上に滑動可能に収容されている。
前記ピン１００に捩りバネ１０４が巻き掛けられ、その一端が側壁２６の内面に係合して配置され、この他端がデッドロックストッパー１０１に突設した係止ピン１０３に係合している。
そして、前記捩りバネ１０４の弾性によって、デッドロックストッパー１０１を図１１（ａ）上反時計方向へ回動可能に付勢し、その付勢力をデッドロックカム８６のリブ１０５に作用させている。
【００６８】
前記リブ１０５は係合板８７の裏面に突設され、該リブ１０５の中間部に湾曲面状の凸部１０６が突設され、該凸部１０６にデッドロックストッパー１０１の一端の角部が係合可能に配置され、該ストッパー１０１の先端部をデッドボルト７５の底面に係合可能に配置している。
【００６９】
前記引戸１の開扉時は室内錠７は解錠状態に置かれ、その状況は図１１（ａ）のように、デッドロックカム８６が図示の状態に置かれ、その係合板８７の裏面にデッドロックストッパー１０１が斜状に位置している。
前記デッドロックストッパー１０１の先端部は、デッドボルト７５の底面に係合可能に配置され、他端の角部が前記凸部１０６に乗り上げて係合し、デッドロックカム８６に対する係合力を増強している。
【００７０】
この後、引戸１を閉扉すると、トリガー５４が係合突起１１と当接して錠ケース２４内に後退し、クランクリンク６６が揺動してデッドボルト７５を外側へ押し出し、掛金８の係合溝８ａがピン９９に係合し、該ピン９９を支点に掛金８が上向きに回動し、その先端部が係合孔１２の開口縁部と係合して、図１１（ｂ）のように施錠可能にされている。
【００７１】
このような室内錠７の施錠時は、デッドボルト７５の後端部がクランクリンク６６の下端部に押圧されて、掛金８の先端部と係合孔１２の開口縁部との係合が維持され、施錠状態を維持するようにされている。
しかも、デッドボルト７５が外側へ突出作動し、デッドロックカム８６がデッドロックカムスプリング９６によって回動し、その係合板８７がデッドボルト７５の後退域に突出して、デッドボルト７５の後端部と係合し、その後退を阻止して前記施錠状態を堅持するようにされている。
【００７２】
このような閉扉時の施錠状態から室内錠７を解錠する場合、室内１３側から解錠摘み１８を解錠回動する。
このようにすると、レバーカム９０とデッドロックカム８６が図１１（ｂ）上反時計方向へ回動し、係合板８７の側端部がデッドボルト７５の後端部から後退し、それらの係合を解除し、デッドボルト７５の後退域を開放するようにしている。
そうすると、デッドロックカム８６がデッドロックカムスプリング９６によって押し回わされ、その係合板８７がデッドボルト７５の後退域に突出して、デッドボルト７５の後端部と係合し、その後退を阻止して施錠状態を形成することになる。
【００７３】
しかしながら、デッドロックストッパー１０１は、捩りバネ１０４の弾性による反時計方向への回動力を凸部１０６を介してリブ１０５に作用し、この作用力によってデッドロックカム８６を図１１（ｃ）上反時計方向へ回動させ、係合板８７をデッドボルト７５の後退域から引き戻す。
このため、係合板８７がデッドボルト７５の後退域から後退し、デッドボルト７５の後退を促して解錠状態と引戸１の開扉を形成可能にしている。
【００７４】
このように、デッドロックストッパー１０１の存否によって、デッドボルト７５の後退域の開放状態の形成が左右され、デッドロックストッパー１０１が無い場合は、係合板８７がデッドボルト７５の後退域に突出して、解錠と開扉が不可能になる。
【００７５】
この後、把手２１を保持して引戸１を引き動かすと、引戸１が開扉され、トリガー５４が係合突起１１から離間して係合を解除し、トリガー５４がセットスプリング７３の弾性によって室内錠７の外側へ突出する。
そして、これに同動してクランクリンク６６の上端部が外側へ引き動かされ、該リンク６６が軸筒部６８を中心に回動して、その下端部を錠ケース２４の内側へ引き動かし、該下端部に連結されたデッドボルト７５を同動させて錠ケース２４内に後退するようにしている。
【００７６】
その際、デッドボルト７５の底部がデッドロックストッパー１０１の上端部に係合し、捩りバネ１０４の弾性に抗して後退する。
そして、デッドボルト７５が後退すると、係合溝８ａがピン９９との係合を解除し、掛金８が軸ピン８０を中心に自重によって下側へ回動し、デッドボルト７５内に収容されて解錠状態を形成する。この状況は図１１（ｄ）のようである。
【００７７】
一方、室内錠７の施錠時は、解除プレート８２の先端部がデッドボルト７５の底部に設けた切欠溝６ａに係合し、またデッドロックカム８６の係合板８７が、前述のようにデッドボルト７５の後端部に係合可能に位置して、デッドボルト７５の後退を阻止するようにしている。
このような状況は図１２（ａ）のようで、この状況の下で前記施錠状態を解除し引戸１を開扉する場合、例えば引戸１の建付け状態が悪く、または室内錠７の経年的な使用によって、例えばセットスプリング７３が折損した場合、クランクリンク６６の復帰回動が断たれ、掛金８の施錠状態が維持されてしまう。
【００７８】
そこで、解錠摘み１８を回動操作し、レバーカム９０を介しデッドロックカム８６をデッドロックカムスプリング９６とセットスプリング９７に抗して解錠方向、つまり図１２（ａ）上反時計方向へ回動するようにする。
このようにすると、係合板８７がデッドボルト７５の後端部との係合を解除し、デッドボルト７５の後退域を開放するようになる。
また、前記係合板８７の回動変位によって、ピン８８が角孔８５内を下方へ移動し、解除プレート８２がピン８４を中心に自重によってレバーカム９０側へ傾倒回動し、その傾倒力ないしモーメントをデッドボルト７５作用するようにされている。
【００７９】
このため、デッドボルト７５が後退方向へ押し動かされ、掛止受座６から抜け出るとともに、掛金８の係合溝８ａがピン９９から離間し、それらの係合を解除して軸ピン８０を中心に、自重によって下向きに回動し、デッドボルト７５内に収容されて解錠される。
そして、デッドボルト７５の後退動によって、クランクリンク６６の下端部が後方へ押し動かされ、その上端部が前方へ移動してプレートリンク５８を同方向へ押し動かし、トリガー５４を錠ケース２４から外側へ突出させる。この状況は図１２（ｂ）のようである
【００８０】
この後、室内１３側の把手２１を後方へ引いて引戸１を開放する。
そして、セットスプリング９７によってデッドロックカム８６を若干押し回わし、解除プレート８２を若干起立させて切欠溝６ａとの係合を維持させる。このような状況は図６（ｃ）のようである。
図中、１０７はデッドボルト７５の内側の移動終端部に配置したゴム製の消音板で、デッドボルト７５の錠ケース２４に収容時の当接音の低減を図っている。
【００８１】
前記室内座１４は亜鉛合金ダイカストによって、前記錠ケース２４または錠カバー２５の正面形状と同形の縦長小判形の異形の皿状に成形され、その外周を側壁１０８で区画している。
前記室内座１４の上下端部と中間部にビス孔１０９〜１１６が形成され、これらにビス１１７〜１１９を挿入し、これをキーレス錠１６のネジ孔（図示略）にねじ込み、室内座１４と錠ケース２４および錠カバー２５と、キーレス錠１６を引戸１を挟んで連結している。
【００８２】
図中、１２０はタッピングスクリューで、室内座１４の通孔１２１を介して室内錠７のビス孔１２２にねじ込まれ、１２３はビスで、室内座１４の通孔１２４を介して室内錠７のネジ孔１２５にねじ込まれている。
また、図中、１２６は室内座１４の上部に設けた通孔で、該通孔１２６に室内座１４の外側から空錠切替ピン３５が挿入され、その一端の空錠切替摘み１７を室内座１４の表面に装着可能にしている。
【００８３】
前記クリアピン１３７は亜鉛合金ダイカストまたは真鍮製の丸棒を機械加工して形成され、その一端側を前記空錠切替ピン３５に係入可能な略角柱状に形成し、他端の丸棒状の中間部に略角形のテーパ−ベース１３８を形成し、その一側部にテーパフランジ１３９を形成している。
前記クリアピン１３７の他端部はキーレス錠１６の内部に組み込まれ、その一端をキーレス錠１６に組み付けたクリアボタン１４０の内側に配置し、クリアピン１３７の押圧変位に同動可能にされている。
【００８４】
前記クリアピン１３７は、キーレス錠１６内に積層配置した後述するケースハウジングと、ボタン押えとロックプレート、およびリセット板とリセット押え板とカバープレートに直交して水平に配置されている。
前記クリアピン１３７は、前記ロックプレートのロック孔を貫通してリセット板のクリアピン挿入孔に挿入され、該挿入孔に設けたテーパ面に対し、自動施錠（Ａｕｔｏ  Ｌｏｃｋ）機能時は、前記テーパフランジ１３９と係合可能に配置されている。
そして、押しボタン１９を介しロックピンに暗証情報を記憶させてキーレス錠１６を施錠可能にし、解錠時は前記暗証情報を基に室外から押しボタン１９を操作してキーレス錠１６を解錠可能にしている。
【００８５】
前記自動施錠機能における施錠は、引戸１の閉扉時に前述のように自動的に実行され、その開扉操作は室内外１３，１５側の把手２１，２２を保持して行なわれる。
この場合、室外１５側のキーレス錠１６は予め暗証情報入力して施錠され、その自動施錠機能時には室内１３側の自動施錠機能を共有し、別途の操作を不要にしている。
【００８６】
一方、室外錠である前記キーレス錠１６は実施形態の場合、暗証情報を入力させる複数の押しボタン１９を備え、その入力操作によって暗証情報を直下のロックピンに機械的に伝えて記憶させ施錠するようにしている。
一方、該押しボタン１９を暗証情報を基に押圧操作して解錠し、室外１５側の解錠摘み２０の回動操作に連係する角芯棒１６０を介して解錠可能に構成した、非電気式ないし非電子式のメカロック式のキ−を使用しない錠前、いわゆるボタン錠を用いている。
【００８７】
この場合、室外錠は前述のボタン錠に限らず、またはボタン錠を補完するために、角芯棒３８に連係する後述のシリンダー錠を用いることも可能である。
なお、前記キーレス錠１６について、出願人は既に特許第５６５９１９４号で開示しており、その暗証情報の入力と解除法、およびそれらの構成は前記特許公報に記載の通りである。
【００８８】
すなわち、前記キーレス錠１６は図１３乃至１８に示すように多部材で構成され、その外側をケースハウジング１４４とカバープレート１４８とで区画し、その内部にボタン押え板１４５とロックプレート１４６と、リセット板１４７とリセット押え板１９１を積層配置し、このうちロックプレート１４６とリセット板１４７を上下動可能に構成している
前記ケースハウジング１４４に、複数のボタン孔１４９と上部にクリアボタン孔１５０が形成され、これらに押しボタン１９とクリアボタン１４０が挿入されている。
【００８９】
前記ケースハウジング１４４の下部に、駆動カム１５１が解錠摘み２０を介して回動可能に取付けられ、その平坦な係合面１５１ａにロックプレート１４６の下端部の屈曲片１８２と、リセット板１４７の下端部の係合板１９６とが背中合わせに載置され、これらが駆動カム１５１の回動によって、各セットスプリング１８７，１９９に抗して上動可能にされている。
図中、１９ａは押しボタン１９のフランジ、１５４は略Ｕ字形状に屈曲したボタンワッシャー、１５６はボタンスプリング、１５８はバネ受である。
【００９０】
前記ボタン押え板１４５に複数のロックピン挿入孔１６４と、上部にクリアピン挿入孔１７０が設けられ、またロックプレート１４６にロック孔１７５，１７６が左右対称に形成され、上部に通孔１８０が形成され、その両側にバネ受１８６が屈曲形成されている。
前記ロックピン２１３は、亜鉛合金ダイカストまたは真鍮を機械加工して異形に形成され、その両端部に大小異径の小径部２１３ａと大径部２１５が形成され、この大径部２１５をカバープレート１４８のピン孔２００に挿入かつ表出させている。
【００９１】
前記ロックピン２１３の小径部２１３ａ側に角軸部２１４が形成され、大径部２１５の基部側に略円錐台形状のコーンフランジ２１６が形成され、該コーンフランジ２１６と角軸部２１４との間に、円弧状の板カムからなる二つのカムフランジ２１７，２１８が、互いに離間して反対側へ突設されている。
【００９２】
そして、前記ロックピン２１３をカバープレート１４８側から押しボタン１９側へ挿入し、コーンフランジ２１６をリセット板１４７のロックピン孔１８８に配置し、カムフランジ２１７をロックプレート１４６にロック孔１７５，１７６に配置し、カムフランジ２１７，２１８をボタン押え板１４５のロックピン挿通孔１８８に配置し、これらのカムフランジ２１７，２１８をロック孔１７５，１７６の開口縁部に係合させて、ロックピン２１３の上動を阻止可能にしている。
また、押しボタン１９の押圧操作によって、ロックピン２１３の前記各部を軸方向に変位させ、ロック孔１７５，１７６に対しカムフランジ２１７，２１８を係脱させて、キーレス錠１６を施解錠可能にしている。
【００９３】
前記リセット板１４７に複数のロックピン孔１８８が形成され、それらの上部にバネ掛けピン１８９が突設され、該ピン１８９に捩りバネ１９５が掛け止められ、その両端部をロックピン孔１８８内に突出して配置している。
そして、リセット板１４７の上動時に、ロックピン２１３のカムフランジ２１７，２１８から離間し、ロックピン２１３を上動可能にしている。
また、前記リセット板１４７の上部にクリアピン挿入孔１９７が形成され、該挿入孔１９７にテーパー面１９７ａが形成され、該テーパー面１９７ａにクリアピン１３７のテーパーフランジ１３９が係合している。
【００９４】
そして、クリアボタン１４０の押圧操作時、前記駆動カム１５７の回動を要することなくリセット板１４７を上動させ、捩りバネ１９５をロックピン２１３から離間させてロックピン２１３を上動させ、ロックピン２１３の原状を回復して、ロックピン２１３に入力した暗証情報をキャンセル可能にしている。
前記リセット押え板１９１に複数のロックピン孔１９２が形成され、その周辺に前記バネ掛けピン１８９を挿入可能なピン孔１９４が形成されている。
【００９５】
このように構成した室内錠７の製作に際しては、錠ケース２４と錠カバー２５を亜鉛合金ダイカストによって縦長小判形の略皿状に成形し、またそれらに組み込む主要な構成部材を予め製作して置く。
【００９６】
前記主要な構成部材として、解錠摘み１８，２０、空錠切替ピン３５、空錠切替カム４１、空錠切替プレート４３、トリガー５４、プレートリンク５８、Ｌ型リンク６１、クランクリンク６６、消音ストッパー７１、デッドロックカム８６、レバーカム９０、掛金８、デッドボルト７５、解除プレート８２、デッドロックストッパー１０１、消音板１０７、各種スプリング４９，７３，９７およびピン７７，８０，８４、クリアピン１３７等がある。
【００９７】
このうち、解錠摘み１８は亜鉛合金ダイカストで所定形状に成形し、空錠切替ピン３５とクリアピン１３７は亜鉛合金ダイカストで所定形状に成形し、または真鍮棒を機械加工し、空錠切替カム４１と空錠切替プレート４３、トリガー５４とプレートリンク５８、Ｌ型リンク６１とクランクリンク６６は所定形状に樹脂成形し、掛金８、デッドボルト７５、解除プレート８２は鋼板をプレス成形し、レバーカム９０とデッドロックストッパー１０１は亜鉛合金ダイカストで所定形状に成形し、消音ストッパー７１と消音板１０７はゴム成形する。
【００９８】
そして、錠ケース２４の通孔３３に空錠切替カム４１の軸部を挿入し、該カム４１の直下に空錠切替プレート４３を配置し、上側係合片４４の両側を掛止リブ５１とガイド５０に掛け止め、ガイド溝４７に係止突起４８を挿入し、それらの間にプレートスプリング４９を介挿する。
前記空錠切替カム４１の直下にトリガー５４を配置し、その背部の凸部をガイド溝５２に挿入し、背部のピン５７にプレートリンク５８を挿入し、該リンク５８の他方の通孔６０にＬ形リンク６１のピン６２を挿入する。
【００９９】
前記Ｌ形リンク６１のピン６５を、空錠切替プレート４３の背部の凹部４６ｃに掛け止め、背部の凸部をガイド溝５３に挿入し、前部のピン６３にクランクリンク６６の通孔６７を挿入し、該リンク６６の軸筒部６８を錠ケース２４の通孔６９に挿入し、その上側側部と側壁２６の間にセットスプリング７３を介挿する。
【０１００】
前記クランクリンク６６の下端部の通孔７４を、掛金ハウジング７５の後部内に挿入し、該ハウジング７５内に掛金８を挿入し、その後端部の通孔７８と前記ピン孔７６と通孔７６にピン７７を挿入し、該ピン７７の両端部をガイド溝１３５と、錠カバー２５のガイド溝１３６に摺動可能に挿入する。
また、前記デッドボルト７５のピン孔７９にピン８０を挿入し、該デッドボルト７５をピン９９の直下の錠ケース２４の平坦な底面に滑動可能に収容する。
【０１０１】
前記デッドボルト７５の直下のピン１００に、デッドロックストッパー１０１の通孔１０２を挿入し、前記ピン１００に捩りバネ１０４を捲き掛け、その一端を側壁２６に係合し、他端を係止ピン１０３に掛け止める。
そして、前記デッドロックストッパー１０１上にデッドロックカム８６を配置し、該ロックカム８６の貫通孔８９にレバーカム９０を挿入し、該カム９０の軸部を錠ケース２４の通孔３６に回動可能に挿入する。
【０１０２】
また、前記レバーカム９０の係合片９２にセットスプリング９７の一端を収容し、この他端を錠ケース２４の係止段部９８に係合し、その弾性によってレバーカム９０ないしデッドロックカム８６を図１１上時計方向へ回動可能に付勢する。
更に、デッドロックカム８６の裏面側のリブ１０５に、デッドロックカムスプリング９６の一端を係合し、この他端を錠ケース２４の凹溝９５に係合し、前記スプリング９６の弾性によって、デッドロックカム８６を図８上時計方向へ回動可能に付勢する。
【０１０３】
前記デッドロックカム８６の係合片８７上に解除ストッパー８２を収容し、その一端の通孔８３を錠ケース２４の下部に立設したピン８４に挿入し、その直上の角孔８５に係合片８７に突設したピン８８を係脱可能に掛け止め、上端部をデッドボルト７５の底部の切欠溝８１に係入する。
【０１０４】
こうして錠ケース２４に各構成部材を組み込み後、その開口側の側壁２６に錠カバー２５の側壁２６を接合し、錠カバー２５のビス孔３１にビス３２を挿入し、これを錠ケース２４のネジ孔３０にねじ込んで緊締し、錠ケース２４と錠カバー２５を接合して縦長小判形の扁平な容器に組み付ける。この状況は図６および図７のようである。
【０１０５】
また、室内座１４の外側から空錠切替ピン３５を切替ピン挿入孔１２６に挿入し、貫通穴１２７に解錠摘み１８の軸筒部１８ａを挿入し、室内座１４の内側からストップワッシャ１２９を挿入し、軸筒部１８の先端に止め輪１３２を嵌めて、これらを抜け止め後、軸筒部１８ａの端面の角孔１２８に角芯棒３８を挿入する。
一方、掛止受座６の製作は、亜鉛ダイカストによって縦長の角柱状に成形し、その上端部に係合突起１１を突出成形し、中間部に係合孔１２を成形し、その端部の両側に一対の側壁１０，１０を対向配置する。
【０１０６】
このような構成部品を用いて、室内錠７と室内座１４とキーレス錠１６を引戸１に取付ける場合は、引戸１の所定位置にビス孔（図示略）を形成し、その室内１３側の端部にシールパッキング２３を介して、室内錠７と解錠摘み１８を取付けた室内座１４とを重合して配置し、それらのビス孔にビス１１７〜１１９を挿入して室外１５側へ突出する。
【０１０７】
一方、引戸１の室外１５側側面に解錠摘み２０を取付けたキーレス錠１６を配置し、該キーレス錠１６のビス孔に前記ビス１１７〜１１９をねじ込んで緊締し、引戸１の内外に室内錠７と室内座１４とキーレス錠１６を取付ける。この状況は図２乃至図４および図６のようである。
その際、室内座１４から挿入した空錠切替ピン３５を室内錠７の空錠切替カム４１の軸孔４２に挿入し、錠カバ−２５の通孔３４を貫通させて外側へ突出する。
この後、引戸１の内外の室内座１４とキーレス錠１６の直下に把手２１，２２を上下方向に取付ける。この状況は図１，５のようである。
【０１０８】
前記室内座１４に取付けた解錠摘み１８の角芯棒３８を、引戸１を貫通してキーレス錠１６のカバープレート１４８のピン孔２０６に挿入し、その先端部をキーレス錠１６のケースハウジング１４４側に設けたワンウェイクラッチ機構に挿入する。
また、キーレス錠１６の外側から解錠摘み２０の角芯棒１６０を通孔に挿入し、その先端部を前記ワンウェイクラッチ機構に挿入する。
すなわち、室内外の解錠摘み１８，２０の各角孔に角芯棒３８，１６０を挿入し、それらの先端部をケースハウジング１４４側に設けたワンウェイクラッチ機構に挿入し、解錠摘み２０の回動変位を解錠摘み１８に伝達可能にし、一方、解錠摘み１８の回動変位を解錠摘み１８に対し遮断可能にする。
【０１０９】
一方、戸枠２の端面に戸当り溝２ａを形成し、該戸当り溝２ａに近接する室内１３側に掛止受座６を取付け、この掛止受座６に張出部２８，２９を係合可能に配置する。この状況は図５のようである。
このように室内錠７は、引戸１の端部側面にビスを用いて取付け、引戸１の内部に大きな取付穴を形成して収容する構成を採らないから、室内錠７の取付けを容易かつ速やかに行なえる。
また、戸枠２の端面にビスを用いて掛止受座６を取付け、戸枠２の内部に掛止受座の収容孔を形成する構成を採らないから、掛止受座６の取付けを容易かつ速やかに行なえる。
【０１１０】
こうして取付けた室内錠７は空錠切替ピン３５の回動操作によって、Ａｕｔｏ  Ｌｏｃｋ（自動施錠）またはＦｒｅｅ（空錠切替）機能に切り替えて使用され、この自動施錠機能の下で室内錠７の施解錠を実行する。
前記自動施錠機能における解錠は、施錠状態の引戸１の開扉を意図して行なわれ、その操作は自動施錠機能を維持して施錠を実行し、その施錠時には空錠切替カム４１の起立状態と、空錠切替プレート４３の受圧状態を維持して行なわれる。
【０１１１】
前記施錠時は、デッドロックカム８６がデッドボルト７５の後端部と係合し、デッドボルト７５の後退が阻止されている。この状況は図１１（ｂ）のようである。
そこで、前記施錠に室内錠７を解錠する場合は、先ず引戸１の室内１３または室外１５側の解錠摘み１８，２０を解錠回動し、デッドロックカム８６によるデッドボルト７５の後端部との係合状態を解除し、かつデッドロックストッパー１１０を作動させて、前記デッドロックカム８６によるデッドボルト７５の後端部との係合解除状態を維持させ、デッドボルト７５の後退域を確保して、引戸１の開扉を可能にする。この状況は図１１（ｃ）のようである。
【０１１２】
すなわち、引戸１の施錠時の解錠摘み１８の解錠回動に伴い、レバーカム９０を介してデッドロックカム８６が図１１（ｂ）上反時計方向へ回動し、デッドロックカム８６とデッドボルト７５の後端部との係合状態を図１１（ｃ）のように解除する。
前記係合解除状態は、解錠摘み１８の解錠回動が維持されるときは保持されるが、解錠摘み１８から手を離すと、デッドロックカム８６がデッドロックカムスプリング９６によって上方へ押し回され、係合板８７がデッドボルト７５の後端部に再度係合して、該ハウジング７５の後退を阻止し、室内錠７の解錠ないし引戸１の開扉を行なえなくなる。
【０１１３】
そこで、本発明はデッドロックカム８６の係合板８７の裏面にデッドロックストッパー１０１を設け、その捩りバネ１０４によって、デッドロックストッパー１０１の一端をデッドロックカム８６の裏面のリブ１０５に突設した凸部１０６に係合し、その係合力によってデッドロックカム８６を図１１（ｃ）上反時計方向へ回動させ、デッドロックカム８６によるデッドボルト７５の後退域への突出を回避し、室内錠７の解錠と引戸１の開扉を実現する。この状況は図１１（ｄ）のようである。
【０１１４】
こうして引戸１が開扉されると、トリガー５４と掛止受座６の係合突起１１との係合が解除され、セットスプリング７３の弾性によってトリガー５４が外側へ突出する。
そして、前記トリガー５４に同動して、クランクリンク６６の上端部が外側へ引き動かされ、該リンク６６が軸筒部６８を中心に図８上反時計方向へ回動し、その下端部が錠ケース２４の内側へ移動し、該下端部に連結されたデッドボルト７５が同動して錠ケース２４内に後退する。この状況は図８のようである。
【０１１５】
その際、引戸１は、デッドボルト７５の後端部がデッドロックストッパー１０１の上端部に係合し、捩りバネ１０４の弾性に抗して後退するとともに、前記係合後はデッドロックストッパー１０１の上端部がデッドボルト７５の底部に係合して、室内錠７の解錠状態を維持し引戸１の開扉を促す。この状況は図１１（ｄ）のようである。
こうしてデッドボルト７５が後退すると、係合溝８ａがピン９９との係合を解除し、掛金８が軸ピン８０を中心に下側へ回動してデッドボルト７５内に収容され、室内錠７が解錠状態を堅持する。この状況は図１１（ｄ）および図８のようである。
【０１１６】
一方、前記解錠時に、例えば引戸１の建付け状態が悪く各部が擦過し、または経年的な使用によってセットスプリング７３が折損したような場合、クランクリンク６６の所期の復元動作が失われ、掛金８の施錠状態が維持されて解錠できなくなる。この状況は図１２（ａ）のようである。
【０１１７】
そこで、前述のように解錠摘み１８を解錠回動し、デッドロックストッパー１０１によって、デッドロックカム８６をデッドボルト７５の後退域から後退回動させ、係合板８７をデッドボルト７５の後端部から避退させて、この避退状態を保持しデッドボルト７５の後退域を開放させるようにする。
【０１１８】
すなわち、前記解錠摘み１８を解錠回動させて、ピン８８を角孔８５内を下方へ移動させ、解除プレート８２をデッドロックカムスプリング９６によって、ピン８４を中心にレバーカム９０側へ傾倒回動させる。
このようにすると、解除プレート８２の重量とモーメントによって、解除プレート８２の先端部と係合するデッドボルト７５が後退方向へ押し動かされ、該デッドボルト７５が係合孔１２から引き出されて錠ケース２４内へ移動し、掛金がをデッドボルト７５内に落とし込まれて解錠する。この状況は図１２（ｂ）のようである。
【０１１９】
そして、デッドボルト７５の後退動に伴い、クランクリンク６６の下端部を後方へ押し動かし、その上端部を前方へ移動させて、トリガー５４を錠ケース２４から外側へ突出させる。この状況は図１２（ｂ）のようである。この後、室内１３側の把手２１を後方へ引けば図１２（ｃ）のように引戸１が開放される。
【０１２０】
一方、本発明は引戸１を閉扉する際、トリガー５４を戸枠２の端面に突設した掛止受座６から更に突出した係合突起１１に係合させている。
したがって、トリガー５４を単に戸枠２に係合させる場合に比べ、トリガー５４を早期かつ速やかに後退させることができるから、トリガー５４の突出時に使用者が接触してデッドボルト７５や掛金８を誤作動させる事態を未然に防止し得る。
しかも、前記トリガー５４は引戸１の室内１３側の背部に位置して、使用者との接触を回避しているから、引戸１の端面にトリガー５４を突出させる構造のものに比べ、前記誤作動を確実に防止し得る。
【０１２１】
また、引戸１を閉扉する際、トリガー５４の後退後、張出部２８，２９が掛止受座６の端面に係合し、また引戸１の端面が戸枠２の戸当り溝２ａに当接して静止する。
その際、張出部２８，２９を掛止受座６の長さ方向の全域に亘って係合配置しているから、室内錠７を確実かつ安定して掛止受座６に係合させられる。
【０１２２】
一方、引戸１を閉扉していくと、デッドボルト７５の前部側が掛止受座６の係合孔１２に進入し、またデッドボルト７５内に斜状に支持された掛金８の係合溝８ａが、錠ケース２４に突設されたピン９９と係合し、掛金８がピン９９を支点に上向きに回動して、その先端部が係合孔１２の開口部の背面と係合し、施錠状態を形成する。
【０１２３】
前記施錠時には、デッドボルト７５の後部がクランクリンク６６の下端部による外側への押圧力を受けて、掛金８の先端部と係合孔１２の開口部の背面との係合状態が維持され、引戸１の閉扉によって前記施錠状態が自動的に形成され維持される。
したがって、従来のように掛金の仮施錠後、ロックレバーやロックレバーを操作して本施錠状態を形成する面倒を解消し得る。
しかも、引戸１の閉扉に伴って、デッドロックカム８６の係合板８７がデッドボルト７５の後端部と係合し、デッドボルト７５の後退を阻止するから、前記施錠状態を維持し強化する。
【０１２４】
一方、本発明は自動施錠機能の他に、空錠切替機能を有する。
前記空錠切替機能は、空錠切替摘み１７の回動操作によって実行される。
前記空錠切替ピン３５を室内１３側から９０°回動すると、これに連係するクリアピン１３７が同動し、キーレス錠１６内のテーパフランジ２２２ａと、クリアピン挿入孔１９７のテーパ面１９７ａとの係合が解除される。
このため、リセット板１４７が上動し、装着した捩りバネ１９５をロックピン２１３から離間させてロックピン２１３を上動させ、ロックピン２１３の原状を回復させる。したがって、ロックピン２１３に入力された暗証情報がキャンセルされ、キーレス錠１６の暗証情報による施解錠作動が遮断される。
【０１２５】
こうして、空錠切替ピン３５を回動操作すると、空錠切替カム４１が前記解錠または施錠位置から空錠切替機能に切り替えられ、空錠切替カム４１の弦部４１ｂの両端部が空錠切替プレート４３上の両端部に係合する。
この場合、切替ピン３５の中心から弦部４１ｂまでの垂直距離は、円弧面４１ａの半径よりも短いから、その距離の差分、弦部４１ｂが上方へ変位し、空錠切替カム４１に対する押圧力を軽減させて、空錠切替カム４１を押し上げる。
【０１２６】
このため、前記段部４６の背面に形成した凹部４６ｃが上動し、該凹部４６ｃに係合する偏心ピン６５が同動して、Ｌ形リンク６１が斜め上向きに引き上げられ、その一方のピン６２が他方のピン６３よりも上方へ移動する。
したがって、プレートリンク５８が斜状に変位し、トリガー５４の舌片５５に設けたピン５７が錠ケース２４の内側へ移動して、錠ケース２４内に引き寄せる。
【０１２７】
前記他方のピン６３はガイド溝５３の中間部に位置し、該ピン６３に上端部を支持したクランクリンク６６を解錠時と同様に略垂直に位置させ、その下端部のピン７７を解錠時と同様に位置させて、デッドボルト７５を解錠時と同様に錠ケース２４内に後退させる
このため、切欠溝７５に対する解除ストッパー７６が解錠時と同様な状態を維持し、掛金８が解錠されてデッドボルト７５内に収納される。この状況は図１０のようである。
【０１２８】
このように空錠切替機能は、トリガー５４が錠ケース２４の内側に後退し、掛金８がデッドボルト７５内に収納されるから、引戸１を開閉しても掛金８と掛止受座６内の係合孔１２との係脱作動は行われない。
したがって、従来の仮施錠のように引戸１をいちいち施解錠する面倒がなく、引戸１を自由に開閉して室内外１３，１５へ自由に出入りし得るようになり、引戸１を頻繁に開閉する使用に好適になる。
【０１２９】
図１９乃至図２２は本発明の他の実施形態を示し、前述の実施形態と対応する構成部分に同一の符号を用いている。
このうち、図１９および図２０は本発明の第２の実施形態を示し、この実施形態は掛止受座６を戸枠２の端面の中間位置に取付ける代わりに、戸枠２の室内１３側の側面にＬ字形金具からなるアタッチメント２３７をビス２４０を介して取付けている。
このようにすることで、掛止受座６を戸枠２の室内１３側の側端部に取付け、引戸１の建付けの変更に応じられるようになる。
【０１３０】
また、前記アタッチメント２３７の一側片に複数の横長の長孔２３８を上下および中間部に形成し、これらの間に斜状の長孔２３９を形成することで、戸枠２に対するアタッチメント２３７の取付け位置の上下位置と、戸枠２の側端面からの突出または後退位置を調節可能にして、建付けの寸法誤差に対応し得るようにしている。
【０１３１】
図２１は本発明の第３の実施形態を示し、この実施形態は戸枠２の中間位置に取付孔２４１を形成し、該取付孔２４１に掛止受座６を取付け、引戸１の建付けの変更に応じられるようにしている。
この場合、取付孔２４１は戸枠２の一部域で良く、従来のように戸枠に引戸錠を埋設する大きな取付孔の形成を要しない。
【０１３２】
図２２は本発明の第４の実施形態を示し、この実施形態はキーレス錠１６の直下にシリンダー錠２４２を取付け、該シリンダー錠２４２に鍵孔２４３を形成したシリンダー２４４を回動可能に設け、前記鍵孔２４３に鍵２４５を差し込んで、シリンダー２４４を回動可能にしている。
前記キーレス錠１６のケースハウジングの内部に、シリンダー２４４と同動可能な支軸２４６を回動可能に設け、該支軸２４６にギア２４７を取付け、該ギア２４７に噛合するギア２４８を取付けた支軸２４９を前記支軸２４６の上方に配置している。
そして、前記ギア２４８に噛合するギア２５０を、解錠摘み２０に連係する角芯棒３８の基部側に取付けている。
このようにすることで、解錠摘み２０の代わりに解錠操作でき、またキーレス錠１６の代わりにキーレス錠１６を解錠可能にしている。
【０１３３】
このように本発明の引戸錠は、室内外錠に自動施錠機能と空錠切替機能を備え、これらの機能を選択的に切り替え可能にして、使用上の利便性を向上することができ、その自動施錠機能時は引戸の施解錠を形成可能にし、引戸の施錠時は前記掛金を掛止受座に係合し、かつこの係合状態を引戸の閉扉時に自動的に形成して維持するから、従来のように仮施錠状態から本施錠状態への面倒な操作を解消し、使用上の利便性を向上するとともに、確実な施錠状態を速やかに得られる。
【０１３４】
また、室内外錠を引戸の側面に配置し、また掛止受座を戸枠の端部周面に配置するから、室内外錠や掛止受座の取付けが容易で、従来のように引戸や戸枠に大きな取付け穴を形成して、室内外錠や掛止受座を収容する面倒がなく、容易かつ安価に設置し得る。
【産業上の利用可能性】
【０１３５】
このように本発明の引戸錠は、引戸や戸枠に特別な加工を要することなく、それらに錠前本体と掛金を係脱する掛止受座を容易に取付けられ、それらのメンテナンスを容易に行なえるとともに、引戸錠の機能に自動施錠機能と空錠切替機能を備え、これらを選択的に切り替え可能にするとともに、自動施錠機能時には煩雑な施錠操作を要することなく迅速かつ自動的に施錠でき、また空錠切替機能時には掛金と掛止受座の係脱操作をいちいち要することなく、引戸を自由に開閉でき引戸の頻繁な開閉に応じられるようにし、更に引戸の強制解錠機構を備えて、引戸の建付け状態や構成部材の経年的劣化による解錠不能な事態を回避し、強制的に解錠し得るから、例えば鎌形掛金が引戸の端部から出没する、いわゆる戸先引戸錠に好適である。
【符号の説明】
【０１３６】
１                引戸
２                戸枠
６                掛止受座
７                室内錠
８                掛金
８，２０          解錠摘み
１１              係合突起
１２              係合孔
【０１３７】
１３              室内
１５              室外
１６              室外錠（キーレス錠）
２１，２２        把手
２４              錠ケース
２５              錠カバー
３５              空錠切替ピン
４１              空錠切替カム
４３              空錠切替プレート
【０１３８】
５４              トリガー
６６              クランクリンク
７５              デッドボルト
８２              解除ストッパー
８６              デッドロックカム
１０１            デッドロックストッパー
１４６            ロックプレート
１４７            リセット板
１５１            駆動カム
【０１３９】
１７５，１７６    ロック孔
２１３            ロックピン
２３７            アタッチメント
２４１            取付穴
２４２            シリンダー錠
【図１】
2018071236.tif 000003
【図２】
2018071236.tif 000004
【図３】
2018071236.tif 000005
【図４】
2018071236.tif 000006
【図５】
2018071236.tif 000007
【図６】
2018071236.tif 000008
【図７】
2018071236.tif 000009
【図８】
2018071236.tif 000010
【図９】
2018071236.tif 000011
【図１０】
2018071236.tif 000012
【図１１】
2018071236.tif 000013
【図１２】
2018071236.tif 000014
【図１３】
2018071236.tif 000015
【図１４】
2018071236.tif 000016
【図１５】
2018071236.tif 000017
【図１６】
2018071236.tif 000018
【図１７】
2018071236.tif 000019
【図１８】
2018071236.tif 000020
【図１９】
2018071236.tif 000021
【図２０】
2018071236.tif 000022
【図２１】
2018071236.tif 000023
【図２２】
2018071236.tif 000024
【手続補正書】
【提出日】平成30年2月28日(2018.2.28)
【手続補正１】
【補正対象書類名】明細書
【補正対象項目名】００１４
【補正方法】変更
【補正の内容】
【００１４】
請求項１の発明は、戸枠と、該戸枠に当接可能に配置した引戸と、引戸の室内側に設けた室内錠と、を備え、前記戸枠に係合孔を形成した掛止受座を取付け、前記室内錠に、掛止受座に係脱可能な鎌形の掛金と、引戸の開閉時に出没可能なトリガーと、引戸の開閉時に前記掛止受座に進退可能に設けられ、かつ前記掛金を出没可能に収容したデッドボルトと、を備えた引戸錠において、前記室内錠に空錠切替ピンを回動可能に設け、前記空錠切替ピンに室内錠に設けた空錠切替カムを係合かつ回動可能に設け、該空錠切替カムの直下に空錠切替プレートを上下動かつ上方へ移動可能に付勢するとともに、前記空錠切替プレートの背部にＬ形リンクを揺動可能に設け、該Ｌ形リンクに複数のピンを突設し、これらのピンをトリガーの後部と空錠切替プレートとクランクリンクの上端部に係合可能に設け、トリガーの出没作動と空錠切替プレートの上下動とクランクリンクの揺動を形成可能に設け、かつクランクリンクの下端部をデッドボルトに回動可能に連結し、室内錠を施解錠状態に形成する自動施錠機能と、非施解錠状態に形成する空錠切替機能と、に選択的に切り替え可能に設け、自動施錠時は空錠切替カムを起立回動し、空錠切替プレートを押し下げて引戸の閉扉時にトリガーを室内錠の錠ケ−ス内に後退し、掛金を掛止受座の係合孔に係入して施錠可能にし、空錠切替時は空錠切替カムを倒立回動し、空錠切替プレートを押し上げてデッドボルトとトリガーを錠ケ−ス内に後退し、かつ掛金をデッドボルトに収容して非施解錠可能にし、引戸を自由に開閉可能にして、掛金と掛止受座との係脱操作をいちいち要することなく、引戸を迅速に開閉可能にして頻繁な開閉に応じられるようにし、また室内錠の自動施錠機能と空錠切替機能を選択的に切り替え可能にして使用上の利便性を向上し、従来のように仮施錠状態から本施錠状態への面倒な移行操作を解消し、使用上の利便性を向上するとともに、確実な施錠状態を速やかに得られるようにしている。
【手続補正２】
【補正対象書類名】明細書
【補正対象項目名】００１５
【補正方法】変更
【補正の内容】
【００１５】
請求項２の発明は、室内錠に解錠摘みを回動可能に設け、該解錠摘みにデッドロックカムを同動可能に設け、該デッドロックカムをデッドボルトの後退域に出没可能に設け、引戸の閉扉かつ施錠時に前記デッドロックカムをデッドボルトの後端部に係合可能に移動し、デッドボルトの後退を阻止して、従来のようなシリンダーやサムターンを駆使することなく、引戸の施錠状態を容易かつ確実に維持し得るようにしている。
請求項３の発明は、デッドロックカムの近接位置にデッドロックストッパーを回動可能に設け、前記解錠摘みを操作し室内錠を解錠する際、デッドロックストッパーをデッドロックカムの回動方向と反対方向へ回動可能に付勢し、該デッドロックストッパーを介しデッドロックカムの回動を規制し、該デッドロックカムをデッドボルトの後端部から後退可能にし、デッドロックカムの解錠状態を保持し、デッドボルトの後退と引戸の開扉を実行可能にしている。
【手続補正３】
【補正対象書類名】明細書
【補正対象項目名】００１６
【補正方法】変更
【補正の内容】
【００１６】
請求項４の発明は、デッドロックストッパーを、デッドロックカムの背後に配置し、デッドロックカムの背部からデッドボルトの後退を容易に形成可能にしている。
請求項５の発明は、デッドロックカムの側方に解除ストッパーを回動可能に設け、該解除ストッパーの上端部をデッドボルトの底部に係合可能に設け、前記解除ストッパーを上方へ移動可能に付勢するとともに、前記解錠摘みの回動操作時、前記解除ストッパーをデッドロックカム側へ傾倒回動し、デッドボルトを後退可能にするとともに、室内錠を解錠可能にして、引戸の建付け不良や錠前の経年的な使用による構成部材の損傷や劣化によって、室内錠の解錠が不可能な場合、室内側の解錠摘みの解錠操作によって、室内錠の解錠とデッドボルトの後退を強制的に実行し、前記事態に対応して室内錠の解錠ないし引戸の開扉を実行可能にしている。
【手続補正４】
【補正対象書類名】明細書
【補正対象項目名】００１７
【補正方法】変更
【補正の内容】
【００１７】
請求項６の発明は、室内錠を、錠ケースと錠カバーとを接合して扁平な容器状に形成し、室内錠を小形かつコンパクトに形成するようにしている。
請求項７の発明は、室内錠を引戸の室内側端部の側面に配置し、室内錠の安全で容易かつコンパクトな取付けを実現している。
【手続補正５】
【補正対象書類名】明細書
【補正対象項目名】００１８
【補正方法】変更
【補正の内容】
【００１８】
請求項８の発明は、室内錠の内部にトリガーとデッドボルトを出没可能に収容し、このトリガーとデッドボルトとをクランクリンクを介して揺動可能に連係し、前記トリガーとデッドボルトとを互いに異方向へ移動可能にし、室内錠の小形化を図るとともに、トリガーとデッドボルトの作動によって、室内錠の自動施錠を実現可能にしている。
請求項９の発明は、トリガーの上方に空錠切替プレートを上下動可能に設け、該空錠切替プレートを上方へ移動可能に付勢するとともに、該空錠切替プレートの直上に空錠切替カムを係合かつ回動可能に配置し、空錠切替カムの回動変位を空錠切替プレートに伝え、トリガーとクランクリンクの変位を形成するとともに、引戸の開扉時にトリガーを突出しデッドボルトを後退させて室内錠の解錠状態を形成し、引戸の閉扉時にトリガーを掛止受座の係合突起に当接させて、トリガーを後退しデッドボルトを突出させて施錠状態を形成可能にしている。
【手続補正６】
【補正対象書類名】明細書
【補正対象項目名】００１９
【補正方法】変更
【補正の内容】
【００１９】
請求項１０の発明は、空錠切替カムを略半月状に形成し、空錠切替カムの回動による変位を空錠切替プレートに伝え、例えばその起立回動時と９０°回動時の倒立回動時の各変位によって、自動施錠機能と空錠切替機能を形成可能にしている。
請求項１１の発明は、空錠切替カムの回動中心に空錠切替ピンを係合かつ回動可能に設け、空錠切替ピンの回動変位によって、自動施錠機能と空錠機能を切替え可能にしている
【手続補正７】
【補正対象書類名】明細書
【補正対象項目名】００２０
【補正方法】変更
【補正の内容】
【００２０】
請求項１２の発明は、空錠切替プレートを略Ｔ字若しくはＨ字形状に形成し、その上端部に空錠切替カムの円弧面の端部と係合可能な凹状の湾曲面を形成し、空錠切替カムの円弧面の端部との係合を円滑に行なうようにしている。
請求項１３の発明は、室外錠に、キーレス錠またはシリンダー錠を設け、室外側から引戸の施解錠と開閉を行なえるようにしている。
【手続補正８】
【補正対象書類名】明細書
【補正対象項目名】００２１
【補正方法】変更
【補正の内容】
【００２１】
請求項１４の発明は、キーレス錠は、押圧操作によって暗証情報を入力および解除可能な複数のロックピンと、前記ロックピンと係脱可能な複数のロック孔を形成したロックプレートと、前記ロックピンの作動を制御するリセット板と、を備え、前記ロックピンの一部または全部に暗証情報入力して前記ロック孔に係合可能に設け、該暗証情報入力した前記ロックピンの暗証情報入力を解除して前記ロック孔との係合を解除し、該ロックプレートを室外錠の解錠摘みの回動変位に連動可能にし、暗証情報入力によるキーレス錠によって、室外側から施解錠を安全に行なうようにしている。
請求項１５の発明は、空錠切替ピンに、室外錠のクリアボタンに連係するクリアピンを同動可能に連結し、空錠切替ピンの空錠切替作動時にロックピンの拘束を解除し、その原状を回復させて暗証情報入力を解除し、該暗証情報による施解錠作動を遮断可能にして、空錠切替時における作動を確実かつ安全に行なえるようにしている。
【手続補正９】
【補正対象書類名】明細書
【補正対象項目名】００２３
【補正方法】変更
【補正の内容】
【００２３】
請求項２０の発明は、張出部を掛止受座の長さ方向の全域に亘って係合配置し、室内錠を  確実かつ安定して掛止受座に係合させるようにしている。
請求項２１の発明は、掛止受座の端面に係合突起を突設し、該係合突起に前記トリガーを当接可能に配置し、トリガーをいち早く係合突起に当接させて後退させ、突出状態のトリガーとの接触に伴うデッドボルトや掛金の誤動作を防止し得るようにしている。
その際、室内錠を引戸の室内側の側面に配置して、トリガーを引戸の室内側に隠蔽させ、前記接触を未然に防止し得るようにしている。
請求項２２の発明は、戸枠の側面にＬ字形断面のアタッチメントを取付け、該アタッチメントに掛止受座を取付け、引戸の建付け変更に容易に応じられるようにしている。
請求項２３の発明は、戸枠の端面に取付穴を形成し、該取付穴に掛止受座を取付け、引戸の建付け変更に容易に応じられるようにしている。
【手続補正１０】
【補正対象書類名】明細書
【補正対象項目名】００２４
【補正方法】変更
【補正の内容】
【００２４】
請求項１の発明は、室内錠に空錠切替ピンを回動可能に設け、前記空錠切替ピンに室内錠に設けた空錠切替カムを係合かつ回動可能に設け、該空錠切替カムの直下に空錠切替プレートを上下動かつ上方へ移動可能に付勢するとともに、前記空錠切替プレートの背部にＬ形リンクを揺動可能に設け、該Ｌ形リンクに複数のピンを突設し、これらのピンをトリガーの後部と空錠切替プレートとクランクリンクの上端部に係合可能に設け、トリガーの出没作動と空錠切替プレートの上下動とクランクリンクの揺動を形成可能に設け、かつクランクリンクの下端部をデッドボルトに回動可能に連結し、室内錠を施解錠状態に形成する自動施錠機能と、非施解錠状態に形成する空錠切替機能と、に選択的に切り替え可能に設け、自動施錠時は空錠切替カムを起立回動し、空錠切替プレートを押し下げて引戸の閉扉時にトリガーを室内錠の錠ケ−ス内に後退し、掛金を掛止受座の係合孔に係入して施錠可能にし、空錠切替時は空錠切替カムを倒立回動し、空錠切替プレートを押し上げてデッドボルトとトリガーを錠ケ−ス内に後退し、かつ掛金をデッドボルトに収容して非施解錠可能にし、引戸を自由に開閉可能にしたから、掛金と掛止受座との係脱操作をいちいち要することなく、引戸を迅速に開閉可能にして頻繁な開閉に応じられ、また室内錠の自動施錠機能と空錠切替機能を選択的に切り替え可能にして使用上の利便性を向上し、従来のように仮施錠状態から本施錠状態への面倒な移行操作を解消し、使用上の利便性を向上するとともに、確実な施錠状態を速やかに得ることができる。
【手続補正１１】
【補正対象書類名】明細書
【補正対象項目名】００２５
【補正方法】変更
【補正の内容】
【００２５】
請求項２の発明は、室内錠に解錠摘みを回動可能に設け、該解錠摘みにデッドロックカムを同動可能に設け、該デッドロックカムをデッドボルトの後退域に出没可能に設け、引戸の閉扉かつ施錠時に前記デッドロックカムをデッドボルトの後端部に係合可能に移動したから、デッドボルトの後退を阻止して、従来のようなシリンダーやサムターンを駆使することなく、引戸の施錠状態を容易かつ確実に維持することができる。
請求項３の発明は、デッドロックカムの近接位置にデッドロックストッパーを回動可能に設け、前記解錠摘みを操作し室内錠を解錠する際、デッドロックストッパーをデッドロックカムの回動方向と反対方向へ回動可能に付勢し、該デッドロックストッパーを介しデッドロックカムの回動を規制し、該デッドロックカムをデッドボルトの後端部から後退可能にしたから、デッドロックカムの解錠状態を保持し、デッドボルトの後退と引戸の開扉を実行することができる。
【手続補正１２】
【補正対象書類名】明細書
【補正対象項目名】００２６
【補正方法】変更
【補正の内容】
【００２６】
請求項４の発明は、デッドロックストッパーを、デッドロックカムの背後に配置したから、デッドロックカムの背部からデッドボルトの後退を容易に形成することができる。
請求項５の発明は、デッドロックカムの側方に解除ストッパーを回動可能に設け、該解除ストッパーの上端部をデッドボルトの底部に係合可能に設け、前記解除ストッパーを上方へ移動可能に付勢するとともに、前記解錠摘みの回動操作時、前記解除ストッパーをデッドロックカム側へ傾倒回動し、デッドボルトを後退可能にするとともに、室内錠を解錠可能にしたから、引戸の建付け不良や錠前の経年的な使用による構成部材の損傷や劣化によって、室内錠の解錠が不可能な場合、室内側の解錠摘みの解錠操作によって、室内錠の解錠とデッドボルトの後退を強制的に実行し、前記事態に対応して室内錠の解錠ないし引戸の開扉を実行することができる。
【手続補正１３】
【補正対象書類名】明細書
【補正対象項目名】００２７
【補正方法】変更
【補正の内容】
【００２７】
請求項６の発明は、室内錠を、錠ケースと錠カバーとを接合して扁平な容器状に形成したから、室内錠を小形かつコンパクトに形成することができる。
請求項７の発明は、室内錠を引戸の室内側端部の側面に配置したから、室内錠の安全で容易かつコンパクトな取付けを実現することができる。
【手続補正１４】
【補正対象書類名】明細書
【補正対象項目名】００２８
【補正方法】変更
【補正の内容】
【００２８】
請求項８の発明は、室内錠の内部にトリガーとデッドボルトを出没可能に収容し、このトリガーとデッドボルトとをクランクリンクを介して揺動可能に連係し、前記トリガーとデッドボルトとを互いに異方向へ移動可能にしたから、室内錠の小形化を図るとともに、トリガーとデッドボルトの作動によって、室内錠の自動施錠を実現することができる。
請求項９の発明は、トリガーの上方に空錠切替プレートを上下動可能に設け、該空錠切替プレートを上方へ移動可能に付勢するとともに、該切替プレートの直上に空錠切替カムを係合かつ回動可能に配置したから、空錠切替カムの回動変位を空錠切替プレートに伝え、トリガーとクランクリンクの変位を形成するとともに、引戸の開扉時にトリガーを突出しデッドボルトを後退させて室内錠の解錠状態を形成し、引戸の閉扉時にトリガーを掛止受座の係合突起に当接させて、トリガーを後退しデッドボルトを突出させて施錠状態を形成することができる。
【手続補正１５】
【補正対象書類名】明細書
【補正対象項目名】００２９
【補正方法】変更
【補正の内容】
【００２９】
請求項１０の発明は、空錠切替カムを略半月状に形成したから、空錠切替カムの回動による変位を空錠切替プレートに伝え、例えばその起立回動時と９０°回動の倒立回動時の各変位によって、自動施錠機能と空錠切替機能を形成することができる。
請求項１１の発明は、空錠切替カムの回動中心に空錠切替ピンを係合かつ回動可能に設けたから、空錠切替ピンの回動変位によって、自動施錠機能と空錠切替機能を切替えることができる。
【手続補正１６】
【補正対象書類名】明細書
【補正対象項目名】００３０
【補正方法】変更
【補正の内容】
【００３０】
請求項１２の発明は、空錠切替プレートを略Ｔ字若しくはＨ字形状に形成し、その上端部に空錠切替カムの円弧面の端部と係合可能な凹状の湾曲面を形成したから、空錠切替カムの円弧面の端部との係合を円滑に行なうことができる。
請求項１３の発明は、室外錠に、キーレス錠またはシリンダー錠を設けたから、室外側から引戸の施解錠と開閉を行なうことができる。
【手続補正１７】
【補正対象書類名】明細書
【補正対象項目名】００３１
【補正方法】変更
【補正の内容】
【００３１】
請求項１４の発明は、キーレス錠は、押圧操作によって暗証情報を入力および解除可能な複数のロックピンと、前記ロックピンと係脱可能な複数のロック孔を形成したロックプレートと、前記ロックピンの作動を制御するリセット板と、を備え、前記ロックピンの一部または全部に暗証情報入力して前記ロック孔に係合可能に設け、該暗証情報入力した前記ロックピンの暗証情報入力を解除して前記ロック孔との係合を解除し、該ロックプレートを室外錠の解錠摘みの回動変位に連動可能にしたから、暗証情報入力によるキーレス錠によって、室外側から施解錠を安全に行なうことができる。
請求項１５の発明は、空錠切替ピンに、室外錠のクリアボタンに連係するクリアピンを同動可能に連結し、空錠切替ピンの空錠切替作動時にロックピンの拘束を解除し、その原状を回復させて暗証情報入力を解除し、該暗証情報による施解錠作動を遮断可能にしたから、空錠切替時における作動を確実かつ安全に行なうことができる。
【手続補正１８】
【補正対象書類名】明細書
【補正対象項目名】００３３
【補正方法】変更
【補正の内容】
【００３３】
請求項２０の発明は、張出部を掛止受座の長さ方向の全域に亘って係合配置したから、室内錠を確実かつ安定して掛止受座に係合させることができる。
請求項２１の発明は、掛止受座の端面に係合突起を突設し、該係合突起に前記トリガーを当接可能に配置したから、トリガーをいち早く係合突起に当接させて後退させ、突出状態のトリガーとの接触に伴うデッドボルトや掛金の誤動作を防止することができる。
その際、室内錠を引戸の室内側の側面に配置して、トリガーを引戸の室内側に隠蔽させ、前記接触を未然に防止することができる。
請求項２２の発明は、戸枠の側面にＬ字形断面のアタッチメントを取付け、該アタッチメントに掛止受座を取付けたから、引戸の建付け変更に容易に応じられる効果がある。
請求項２３の発明は、戸枠の端面に取付穴を形成し、該取付穴に掛止受座を取付けたから、引戸の建付け変更に容易に応じられる効果がある。
【手続補正１９】
【補正対象書類名】明細書
【補正対象項目名】００４３
【補正方法】変更
【補正の内容】
【００４３】
前記掛金８は、その枢支側の一端に略Ｕ字形状の係合溝８ａが形成され、該係合溝８ａに後述する錠ケースに設けたピンを係合可能に配置している。
前記引戸１の引出し側端部の室内１３側に室内錠７が取付けられ、該室内錠７の室内１３側に室内座１４が取付けられ、また引戸１の室外１５側に室外錠としてキーレス錠１６が取付けられている。
前記室内座１４は縦長の小判形に形成され、その上部に空錠切替ピン３５が回動可能に取り付けられ、その軸端部に切替摘み１７が設けられ、この切替摘み１７の回動操作によって、室内錠７を室内側から施解錠可能に構成している。
【手続補正２０】
【補正対象書類名】明細書
【補正対象項目名】００５２
【補正方法】変更
【補正の内容】
【００５２】
前記ケース２４の通孔３３に、空錠切替カム４１の凸軸が回動可能に挿入され、該切替カム４１は合成樹脂によって略半円形ないし半月状に成形され、その中心部に略角孔状の軸孔４２を形成し、該軸孔４２に前記空錠切替ピン３５を挿入している。
前記空錠切替カム４１は、自動施錠機能の解錠時と施錠時に空錠切替ピン３５を中心に同方向へ９０°回動して起立され、その起立時に円弧面４１ａの下端部を直下の空錠切替プレート４３に係合可能に位置付け、また前記切替カム４１の弦部４１ｂを側方に位置付けて、空錠切替プレート４３を押し下げ可能にしている。
【手続補正２１】
【補正対象書類名】明細書
【補正対象項目名】００５３
【補正方法】変更
【補正の内容】
【００５３】
前記空錠切替カム４１は、前記自動施錠機能の施解錠位置から９０°回動して空錠切替機能に切り替え可能にされ、その弦部４１ｂを空錠切替プレート４３の後述する上側係合片に対向配置し、円弧面４１ａの両端部を空錠切替プレート４３上の両端部に係合して、該空錠切替プレート４３に押し上げ可能にされている。
前記空錠切替プレート４３は合成樹脂によって略Ｔ字若しくはＨ形状の板体に成形され、その上部に横長の上側係合片４４が形成され、その上面は凹状の湾曲面４４ａに形成されていて、該湾曲面４４ａに空錠切替カム４１の円弧面４１ａの端部を係合可能に配置されている。
【手続補正２２】
【補正対象書類名】明細書
【補正対象項目名】００５６
【補正方法】変更
【補正の内容】
【００５６】
前記空錠切替プレート４３の直下に横長の二つのガイド溝５２，５３が形成され、該ガイド溝５２にトリガー５４の背部に突設した後述のスライダが摺動可能に挿入されている
この場合、ガイド溝５２を有底に構成することも可能である。
前記トリガー５４は合成樹脂によって略角柱状に成形され、その側部に舌片５５が突設され、該舌片５５の背面に前記スライダ５６が突設され、その表面側にピン５７が突設されていて、該ピン５７にプレートリンク５８の通孔５９が挿入されている。
【手続補正２３】
【補正対象書類名】明細書
【補正対象項目名】００５７
【補正方法】変更
【補正の内容】
【００５７】
前記トリガー５４は前記ガイド５０の下面と、側壁２６の屈曲部との間の平坦な出没通路に摺動可能に配置され、室内錠７の解錠時、リンクスプリング７３によって側端部を錠ケース２４の外側へ突出可能にされている。
前記トリガー５４の室内錠７の解錠時における側壁２６からの突出寸法ｋは、引戸１の端面からの錠ケース２４および錠カバー２５の離間寸法Ｊの略１／２以下に形成され、かつ張出部２８，２９の側端面からの突出寸法ｎを、前記係合突起１１の突出高ｈと略同一に形成されている。
前記トリガー５４は、引戸１の閉扉時に掛止受座６の係合突起１１に係合可能にされ、この係合によってリンクスプリング７３の弾性に抗して、錠ケース２４の内側へ後退可能にされ、かつこの後退位置を空錠切替時に維持可能にされている。
【手続補正２４】
【補正対象書類名】明細書
【補正対象項目名】００５９
【補正方法】変更
【補正の内容】
【００５９】
前記Ｌ形リンク６１の一端に偏心アーム６４が突設され、該アーム６４の先端に突設した偏心ピン６５を、前記段部４６の背面に形成した異形の凹部４６ｃに係合可能に配置し、トリガー５４とＬ形リンク６１と空錠切替プレート４３の作動を連係させている。
【手続補正２５】
【補正対象書類名】明細書
【補正対象項目名】００６３
【補正方法】変更
【補正の内容】
【００６３】
前記デッドボルト７５は、錠ケース２４の中間部の前記出没通路を介して側方へ移動可能に配置され、室内錠７の解錠時と空錠切替時は錠ケース２４内に没入し、施錠時は前記トリガー５４およびクランクリンク６６を介して、側方へ突出可能にされている。
そして、前記デッドボルト７５の突出時に、掛金８の係合溝８ａを前記ピン９９に係合し、該ピン９９を支点に上方へ回動して突出終期に、掛金８の先端部を掛止受座６の係合孔１２の開口縁部に係合可能にしている。
【手続補正２６】
【補正対象書類名】明細書
【補正対象項目名】００６４
【補正方法】変更
【補正の内容】
【００６４】
前記デッドボルト７５の底部に切欠部８１が形成され、該切欠部８１に解除ストッパー８２の上端部が係合可能に挿入され、その下端部のピン孔８３に錠ケース２４に突設したピン８４が挿入され、該ピン８４を中心に解除ストッパー８２を回動可能に取付けている  図中、８５は解除ストッパー８２の中間部に形成した略矩形の角孔である。
【手続補正２７】
【補正対象書類名】明細書
【補正対象項目名】００６５
【補正方法】変更
【補正の内容】
【００６５】
前記錠ケース２４の通孔３６に、亜鉛合金ダイカスト製のデッドロックカム８６のボス（図示略）が回動可能に挿入され、その周面の一端に略扇形の係合板８７が突設され、該係合板８７の一端にピン８８が突設されている。
前記ピン８８は前記角孔８５に係脱可能に挿入され、その係脱作動を介して解除プレート８２を起立または傾倒可能に構成している。
前記デッドロックカム８６の貫通穴８９に、亜鉛合金ダイカスト製のレバーカム９０の軸部が回動可能に挿入され、その内側に角芯棒３８を挿入可能な角孔９１が形成されている。前記軸部の周面の一端に係合片９２が突出形成され、該係合片９２の一端にバネ受９３が突設されている。
【手続補正２８】
【補正対象書類名】明細書
【補正対象項目名】００７８
【補正方法】変更
【補正の内容】
【００７８】
そこで、解錠摘み１８を回動操作し、レバーカム９０を介しデッドロックカム８６をデッドロックカムスプリング９６とセットスプリング９７に抗して解錠方向、つまり図１２（ａ）上反時計方向へ回動するようにする。
このようにすると、係合板８７がデッドボルト７５の後端部との係合を解除し、デッドボルト７５の後退域を開放するようになる。
また、前記係合板８７の回動変位によって、ピン８８が角孔８５内を下方へ移動し、解除ストッパー８２がピン８４を中心に自重によってレバーカム９０側へ傾倒回動し、その傾倒力ないしモーメントをデッドボルト７５へ作用するようにしている。
【手続補正２９】
【補正対象書類名】明細書
【補正対象項目名】００８３
【補正方法】変更
【補正の内容】
【００８３】
キーレス錠１６の後述するクリアピン１３７は亜鉛合金ダイカストまたは真鍮製の丸棒を機械加工して形成され、その一端側を前記空錠切替ピン３５に係入可能な略角柱状に形成し、他端の丸棒状の中間部に略角形のテーパーベース１３８を形成し、その一側部にテーパフランジ１３９を形成している。
前記キーレス錠１６の後述するクリアピン１３７の他端部は、キーレス錠１６の内部に組み込まれ、その一端をキーレス錠１６に組み付けたクリアボタン１４０の内側に配置し、クリアピン１３７の押圧変位に同動可能にされている。
【手続補正３０】
【補正対象書類名】明細書
【補正対象項目名】００８６
【補正方法】変更
【補正の内容】
【００８６】
一方、室外錠である前記キーレス錠１６は実施形態の場合、暗証情報を入力させる複数の押しボタン１９を備え、その入力操作によって暗証情報を直下のロックピンに機械的に伝えて記憶させ施錠するようにしている。
そして、該押しボタン１９を暗証情報を基に押圧操作して解錠し、室外１５側の解錠摘み２０の回動操作に連係する角芯棒１６０を介して解錠可能に構成した、非電気式ないし非電子式のメカロック式のキーを使用しない錠前、いわゆるボタン錠を用いている。
【手続補正３１】
【補正対象書類名】明細書
【補正対象項目名】００９６
【補正方法】変更
【補正の内容】
【００９６】
前記主要な構成部材として、解錠摘み１８，２０、空錠切替ピン３５、空錠切替カム４１、空錠切替プレート４３、トリガー５４、プレートリンク５８、Ｌ型リンク６１、クランクリンク６６、消音ストッパー７１、デッドロックカム８６、レバーカム９０、掛金８、デッドボルト７５、解除ストッパー８２、デッドロックストッパー１０１、消音板１０７、各種スプリング４９，７３，９７およびピン７７，８０，８４、クリアピン１３７等がある。
【手続補正３２】
【補正対象書類名】明細書
【補正対象項目名】０１１１
【補正方法】変更
【補正の内容】
【０１１１】
前記施錠時は、デッドロックカム８６がデッドボルト７５の後端部と係合し、デッドボルト７５の後退が阻止されている。この状況は図１１（ｂ）のようである。
そこで、前記施錠時に室内錠７を解錠する場合は、先ず引戸１の室内１３または室外１５側の解錠摘み１８，２０を解錠回動し、デッドロックカム８６によるデッドボルト７５の後端部との係合状態を解除し、かつデッドロックストッパー１１０を作動させて、前記デッドロックカム８６によるデッドボルト７５の後端部との係合解除状態を維持させ、デッドボルト７５の後退域を確保して、引戸１の開扉を可能にする。この状況は図１１（ｃ）のようである。
【手続補正３３】
【補正対象書類名】明細書
【補正対象項目名】０１１８
【補正方法】変更
【補正の内容】
【０１１８】
すなわち、前記解錠摘み１８を解錠回動させて、ピン８８を角孔８５内を下方へ移動させ、解除ストッパー８２をデッドロックカムスプリング９６によって、ピン８４を中心にレバーカム９０側へ傾倒回動させる。
このようにすると、解除ストッパー８２の重量とモーメントによって、解除ストッパー８２の先端部と係合するデッドボルト７５が後退方向へ押し動かされ、該デッドボルト７５が係合孔１２から引き出されて錠ケース２４内へ移動し、掛金８がデッドボルト７５内に落とし込まれて解錠する。この状況は図１２（ｂ）のようである。
【手続補正３４】
【補正対象書類名】明細書
【補正対象項目名】０１２７
【補正方法】変更
【補正の内容】
【０１２７】
前記他方のピン６３はガイド溝５３の中間部に位置し、該ピン６３に上端部を支持したクランクリンク６６を解錠時と同様に略垂直に位置させ、その下端部のピン７７を解錠時と同様に位置させて、デッドボルト７５を解錠時と同様に錠ケース２４内に後退させる。
このため、切欠部８１に対する解除ストッパー８２が解錠時と同様な状態を維持し、掛金８が解錠されてデッドボルト７５内に収納される。この状況は図１０のようである。
【手続補正３５】
【補正対象書類名】明細書
【補正対象項目名】０１３６
【補正方法】変更
【補正の内容】
【０１３６】
１                引戸
２                戸枠
６                掛止受座
７                室内錠
８                掛金
１８，２０        解錠摘み
１１              係合突起
１２              係合孔
【手続補正３６】
【補正対象書類名】特許請求の範囲
【補正対象項目名】全文
【補正方法】変更
【補正の内容】
【特許請求の範囲】
【請求項１】
戸枠と、該戸枠に当接可能に配置した引戸と、引戸の室内側に設けた室内錠と、を備え、前記戸枠に係合孔を形成した掛止受座を取付け、前記室内錠に、掛止受座に係脱可能な鎌形の掛金と、引戸の開閉時に出没可能なトリガーと、引戸の開閉時に前記掛止受座に進退可能に設けられ、かつ前記掛金を出没可能に収容したデッドボルトと、を備えた引戸錠において、前記室内錠に空錠切替ピンを回動可能に設け、前記空錠切替ピンに室内錠に設けた空錠切替カムを係合かつ回動可能に設け、該空錠切替カムの直下に空錠切替プレートを上下動かつ上方へ移動可能に付勢するとともに、前記空錠切替プレートの背部にＬ形リンクを揺動可能に設け、該Ｌ形リンクに複数のピンを突設し、これらのピンをトリガーの後部と空錠切替プレートとクランクリンクの上端部に係合可能に設け、トリガーの出没作動と空錠切替プレートの上下動とクランクリンクの揺動を形成可能に設け、かつクランクリンクの下端部をデッドボルトに回動可能に連結し、室内錠を施解錠状態に形成する自動施錠機能と、非施解錠状態に形成する空錠切替機能と、に選択的に切り替え可能に設け、自動施錠時は空錠切替カムを起立回動し、空錠切替プレートを押し下げて引戸の閉扉時にトリガーを室内錠の錠ケース内に後退し、掛金を掛止受座の係合孔に係入して施錠可能にし、空錠切替時は空錠切替カムを倒立回動し、空錠切替プレートを押し上げてデッドボルトとトリガーを錠ケース内に後退し、かつ掛金をデッドボルトに収容して非施解錠可能にし、引戸を自由に開閉可能にしたことを特徴とする引戸錠。
【請求項２】
前記室内錠に解錠摘みを回動可能に設け、該解錠摘みにデッドロックカムを同動可能に設け、該デッドロックカムをデッドボルトの後退域に出没可能に設け、引戸の閉扉かつ施錠時に前記デッドロックカムをデッドボルトの後端部に係合可能に移動した請求項１記載の引戸錠。
【請求項３】
前記デッドロックカムの近接位置にデッドロックストッパーを回動可能に設け、前記解錠摘みを操作し室内錠を解錠する際、デッドロックストッパーをデッドロックカムの回動方向と反対方向へ回動可能に付勢し、該デッドロックストッパーを介しデッドロックカムの回動を規制し、デッドロックカムをデッドボルトの後端部から後退可能にした請求項２記載の引戸錠。
【請求項４】
前記デッドロックストッパーを、デッドロックカムの背後に配置した請求項３記載の引戸錠。
【請求項５】
前記デッドロックカムの側方に解除ストッパーを回動可能に設け、該解除ストッパーの上端部をデッドボルトの底部に係合可能に設け、前記解除ストッパーを上方へ移動可能に付勢するとともに、前記解錠摘みの回動操作時、前記解除ストッパーをデッドロックカム側へ傾倒回動してデッドボルトを後退可能にし、室内錠を解錠可能にした請求項３記載の引戸錠。
【請求項６】
前記室内錠を、錠ケースと錠カバーとを接合して扁平な容器状に形成した請求項１記載の引戸錠。
【請求項７】
前記室内錠を引戸の室内側端部の側面に配置した請求項１記載の引戸錠。
【請求項８】
前記室内錠の内部にトリガーとデッドボルトを出没可能に収容し、このトリガーとデッドボルトとをクランクリンクを介して揺動可能に連係し、前記トリガーとデッドボルトとを互いに異方向へ移動可能にした請求項１記載の引戸錠。
【請求項９】
前記トリガーの上方に空錠切替プレートを上下動可能に設け、該空錠切替プレートを上方へ移動可能に付勢するとともに、前記空錠切替プレートの直上に空錠切替カムを係合かつ回動可能に配置した請求項８記載の引戸錠。
【請求項１０】
前記空錠切替カムを略半月状に形成した請求項１記載の引戸錠。
【請求項１１】
前記空錠切替カムの回動中心に空錠切替ピンを係合かつ回動可能に設けた請求項１記載の引戸錠。
【請求項１２】
前記空錠切替プレートを略Ｔ字若しくはＨ字形状に形成し、その上端部に空錠切替カムの円弧面の端部と係合可能な凹状の湾曲面を形成した請求項１記載の引戸錠。
【請求項１３】
前記引戸の室外側に、キーレス錠またはシリンダー錠の室外錠を配置した請求項１記載の引戸錠。
【請求項１４】
前記キーレス錠は、押圧操作によって暗証情報を入力および解除可能な複数のロックピンと、前記ロックピンと係脱可能な複数のロック孔を形成したロックプレートと、前記ロックピンの作動を制御するリセット板と、を備え、前記ロックピンの一部または全部に暗証情報入力して前記ロック孔に係合可能に設け、該暗証情報入力した前記ロックピンの暗証情報入力を解除して前記ロック孔との係合を解除し、該ロックプレートを室外錠の解錠摘みの回動変位に連動可能にした請求項１３記載の引戸錠。
【請求項１５】
前記空錠切替ピンに、室外錠のクリアボタンに連係するクリアピンを同動可能に連結し、空錠切替ピンの空錠切替作動時にロックピンの拘束を解除し、その原状を回復させて暗証情報入力を解除し、該暗証情報による施解錠作動を遮断可能にした請求項１４記載の引戸錠。
【請求項１６】
前記キーレス錠の解錠後、室外側の解錠摘みの回動変位に駆動カムを同動し、該駆動カムに係合するロックプレートとリセット板を作動し、ロックプレートと暗証情報入力後のロックピンとの係合を解除し、前記暗証情報入力をキャンセル可能にした請求項１４記載の引戸錠。
【請求項１７】
前記暗証情報入力をキャンセル後、室外側の解錠摘みの回動操作を介して、前記デッドロックカムをデッドボルトの後端部から後退可能にし、室外側から引戸を解錠ないし開扉可能にした請求項１６記載の引戸錠。
【請求項１８】
前記引戸の室内外側面に把手を取付けた請求項１記載の引戸錠。
【請求項１９】
前記錠ケースと錠カバーの対向位置に、トリガーとデッドボルトの出没通路を有する張出部を突設し、該張出部を掛止受座の端面に係合可能に配置した請求項６記載の引戸錠。
【請求項２０】
前記張出部を掛止受座の長さ方向の全域に亘って係合配置した請求項１９記載の引戸錠
【請求項２１】
前記掛止受座の端面に係合突起を突設し、該係合突起に前記トリガーを当接可能に配置した請求項１記載の引戸錠。
【請求項２２】
前記戸枠の側面にＬ字形断面のアタッチメントを取付け、該アタッチメントに掛止受座を取付けた請求項１記載の引戸錠。
【請求項２３】
前記戸枠の端面に取付穴を形成し、該取付穴に掛止受座を取付けた請求項１記載の引戸錠。